(57)【要約】  低複雑性マルチ設定チャネル状態情報（ＣＳＩ）レポートのためのシステムおよび方法が、提供される。一部の実施形態においては、複数のＣＳＩレポート設定からのＣＳＩフィードバックを提供するためにセルラ通信ネットワークにおいて無線デバイスを動作させる方法が、提供される。方法は、第１のおよび第２のＣＳＩレポート設定を受信することと、それから、第１のＣＳＩレポート設定および第２のＣＳＩレポート設定のうちの１つのみに関して、ＣＳＩレポートにおいて更新されたＣＳＩをレポートすることとを含む。このように、多くのポート、異なるコードブック、混合されたビームフォーミングされるおよびプリコーディングされないＣＳＩ−ＲＳの設定などによる豊富なＣＳＩフィードバックが、無線デバイスにおいてより少ない計算の複雑性を必要としながらサポートされ得る。【選択図】図８
2019518350.tif 000002
【特許請求の範囲】
【請求項１】
複数のチャネル状態情報（ＣＳＩ）レポート設定からのＣＳＩフィードバックを提供するためにセルラ通信ネットワーク（１０）において無線デバイス（１４）を動作させる方法であって、
第１のＣＳＩレポート設定を受信すること（１００）と、
第２のＣＳＩレポート設定を受信すること（１０２）と、
前記第１のＣＳＩレポート設定および前記第２のＣＳＩレポート設定のうちの１つのみに関して、ＣＳＩレポートにおいて更新されたＣＳＩをレポートすること（１０４）とを含む、方法。
【請求項２】
前記第１のＣＳＩレポート設定に対応する第１の瞬間を決定すること（２００）と、
前記第２のＣＳＩレポート設定に対応する第２の瞬間を決定すること（２０２）と、
前記第１の瞬間が前記第２の瞬間と第３の瞬間との間にない場合に前記第２のＣＳＩレポート設定を使用して前記ＣＳＩレポートを計算すること（２０４）であって、前記第３の瞬間が、前記第２の瞬間よりも後にある、計算すること（２０４）とをさらに含む請求項１に記載の方法。
【請求項３】
前記第１の瞬間を決定することが、前記第１の瞬間を
第１のＣＳＩ参照リソースを含む瞬間、および
第１のＣＳＩレポートに関する送信時間
を含む群のうちの１つとして決定することを含む請求項２に記載の方法。
【請求項４】
前記第２の瞬間を決定することが、前記第２の瞬間を
第２のＣＳＩ参照リソースを含む瞬間、および
第２のＣＳＩレポートに関する送信時間
を含む群のうちの１つとして決定することを含む請求項２または３に記載の方法。
【請求項５】
前記第３の瞬間が、
前記無線デバイス（１４）が前記ＣＳＩレポートを送信する瞬間、および
前記第２の瞬間から所定の長さ後
を含む群のうちの１つであり、時間の前記所定の長さが、少なくとも１つのサブフレームである請求項２に記載の方法。
【請求項６】
前記第１の瞬間を決定することが、前記第１の瞬間を、第１のＣＳＩ参照リソースを含む瞬間として決定することを含み、
前記第２の瞬間を決定することが、前記第２の瞬間を、第２のＣＳＩ参照リソースを含む瞬間として決定することを含み、
前記第３の瞬間が、前記無線デバイス（１４）が前記ＣＳＩレポートを送信する瞬間である請求項２に記載の方法。
【請求項７】
前記第１の瞬間を決定することが、前記第１の瞬間を、前記第１のＣＳＩレポートに関する送信時間として決定することを含み、
前記第２の瞬間を決定することが、前記第２の瞬間を、前記第２のＣＳＩレポートに関する送信時間として決定することを含み、
前記第３の瞬間が、前記第２の瞬間から所定の長さ後であり、時間の前記所定の長さが、少なくとも１つのサブフレームである請求項２に記載の方法。
【請求項８】
時間の前記所定の長さが、前記第３の瞬間が前記第２の瞬間から（ｎｃｑｉ＿ｒｅｆ−１）サブフレーム後であるような（ｎｃｑｉ＿ｒｅｆ−１）サブフレームである請求項５または７に記載の方法。
【請求項９】
前記第１のＣＳＩレポート設定を受信することが、前記無線デバイス（１４）のＣＳＩプロセスのための第１のＣＳＩリソースを受信することを含み、
前記第２のＣＳＩレポート設定を受信することが、前記無線デバイス（１４）の前記ＣＳＩプロセスのための第２のＣＳＩリソースを受信することを含む請求項１から８のいずれか一項に記載の方法。
【請求項１０】
前記第１のＣＳＩレポート設定または前記第２のＣＳＩレポート設定のどちらかに関するＣＳＩレポート要求を受信することをさらに含み、
前記第１のＣＳＩレポート設定および前記第２のＣＳＩレポート設定のうちの１つのみに関して、前記ＣＳＩレポートをレポートすることが、前記ＣＳＩレポート要求に従って前記第１のＣＳＩレポート設定および前記第２のＣＳＩレポート設定のうちの前記１つに関して前記ＣＳＩレポートをレポートすることを含む請求項９に記載の方法。
【請求項１１】
前記ＣＳＩレポート要求を受信することが、
前記ＣＳＩレポート要求が前記第１のＣＳＩレポート設定に関するものであることを示す値「１０」を受信することと、
前記ＣＳＩレポート要求が前記第２のＣＳＩレポート設定に関するものであることを示す値「１１」を受信することとを含む請求項１０に記載の方法。
【請求項１２】
前記第１のＣＳＩレポート設定に関連するポートおよび前記第２のＣＳＩレポート設定に関連するポートが、擬似コロケーションされると常に想定され得る請求項１から１１のいずれか一項に記載の方法。
【請求項１３】
前記無線デバイスが、ｑｃｌ−ＣＲＳ−Ｉｎｆｏ−ｒ１１などの擬似コロケーション情報を提供するより上位のレイヤのパラメータの異なる値を有する前記第１のＣＳＩレポート設定および前記第２のＣＳＩレポート設定を受信することを期待しない請求項１から１２のいずれか一項に記載の方法。
【請求項１４】
セルラ通信ネットワーク（１０）において無線デバイス（１４）を動作させる方法であって、
前記無線デバイス（１４）がサービングセルにおいて設定され得るチャネル状態情報（ＣＳＩ）レポートの第１の数をレポートすること（３００）と、
前記無線デバイス（１４）が前記サービングセルのためのレポート期間に更新されたＣＳＩフィードバックをレポートし得るＣＳＩレポートの第２の数をレポートすること（３０２）とを含む、方法。
【請求項１５】
複数のチャネル状態情報（ＣＳＩ）レポート設定からのＣＳＩフィードバックを受信するためにセルラ通信ネットワーク（１０）において基地局（１２）を動作させる方法であって、
第１のＣＳＩレポート設定を用いて無線デバイス（１４）を設定することと、
第２のＣＳＩレポート設定を用いて前記無線デバイス（１４）を設定することと、
前記第１のＣＳＩレポート設定および前記第２のＣＳＩレポート設定のうちの１つのみに関して、更新される前記無線デバイス（１４）からのＣＳＩレポートを受信することとを含む、方法。
【請求項１６】
前記第１のＣＳＩレポート設定に対応する第１の瞬間を決定することと、
前記第２のＣＳＩレポート設定に対応する第２の瞬間を決定することと、
前記第２のＣＳＩレポート設定を使用して前記ＣＳＩレポートを受信することであって、第２のＣＳＩレポートが、前記第１の瞬間が前記第２の瞬間と第３の瞬間との間にない場合に更新され、前記第３の瞬間が、前記第２の瞬間よりも後にある、受信することとをさらに含む請求項１５に記載の方法。
【請求項１７】
前記第１の瞬間を決定することが、前記第１の瞬間を
第１のＣＳＩ参照リソースを含む瞬間、および
第１のＣＳＩレポートに関する送信時間
を含む群のうちの１つとして決定することを含む請求項１６に記載の方法。
【請求項１８】
前記第２の瞬間を決定することが、前記第２の瞬間を
第２のＣＳＩ参照リソースを含む瞬間、および
第２のＣＳＩレポートに関する送信時間
を含む群のうちの１つとして決定することを含む請求項１６または１７に記載の方法。
【請求項１９】
前記第３の瞬間が、
前記無線デバイス（１４）が前記ＣＳＩレポートを送信する瞬間、および
前記第２の瞬間から所定の長さ後
を含む群のうちの１つであり、時間の前記所定の長さが、少なくとも１つのサブフレームである請求項１８に記載の方法。
【請求項２０】
前記第１の瞬間を決定することが、前記第１の瞬間を、第１のＣＳＩ参照リソースを含む瞬間として決定することを含み、
前記第２の瞬間を決定することが、前記第２の瞬間を、第２のＣＳＩ参照リソースを含む瞬間として決定することを含み、
前記第３の瞬間が、前記無線デバイス（１４）が前記ＣＳＩレポートを送信する瞬間である請求項１６に記載の方法。
【請求項２１】
前記第１の瞬間を決定することが、前記第１の瞬間を、前記第１のＣＳＩレポートに関する送信時間として決定することを含み、
前記第２の瞬間を決定することが、前記第２の瞬間を、前記第２のＣＳＩレポートに関する送信時間として決定することを含み、
前記第３の瞬間が、前記第２の瞬間から所定の長さ後であり、時間の前記所定の長さが、少なくとも１つのサブフレームである請求項１６に記載の方法。
【請求項２２】
時間の前記所定の長さが、前記第３の瞬間が前記第２の瞬間から（ｎｃｑｉ＿ｒｅｆ−１）サブフレーム後であるような（ｎｃｑｉ＿ｒｅｆ−１）サブフレームである請求項１９または２０に記載の方法。
【請求項２３】
前記第１のＣＳＩレポート設定を用いて前記無線デバイス（１４）を設定することが、前記無線デバイス（１４）のＣＳＩプロセスのための第１のＣＳＩリソースを用いて前記無線デバイス（１４）を設定することを含み、
前記第２のＣＳＩレポート設定を用いて前記無線デバイス（１４）を設定することが、前記無線デバイス（１４）の前記ＣＳＩプロセスのための第２のＣＳＩリソースを用いて前記無線デバイス（１４）を設定することを含む請求項１５から２２のいずれか一項に記載の方法。
【請求項２４】
前記第１のＣＳＩレポート設定または前記第２のＣＳＩレポート設定のどちらかに関するＣＳＩレポート要求を前記無線デバイス（１４）に送信することをさらに含み、
前記第１のＣＳＩレポート設定および前記第２のＣＳＩレポート設定のうちの１つのみに関して、前記ＣＳＩレポートを受信することが、前記ＣＳＩレポート要求に従って前記第１のＣＳＩレポート設定および前記第２のＣＳＩレポート設定のうちの前記１つに関して前記ＣＳＩレポートを受信することを含む請求項２３に記載の方法。
【請求項２５】
前記ＣＳＩレポート要求を送信することが、
前記ＣＳＩレポート要求が前記第１のＣＳＩレポート設定に関するものであることを示す値「１０」を送信することと、
前記ＣＳＩレポート要求が前記第２のＣＳＩレポート設定に関するものであることを示す値「１１」を送信することとを含む請求項２４に記載の方法。
【請求項２６】
前記第１のＣＳＩレポート設定に関連するポートおよび前記第２のＣＳＩレポート設定に関連するポートが、擬似コロケーションされると常に想定され得る請求項１５から２５のいずれか一項に記載の方法。
【請求項２７】
前記無線デバイス（１４）が、ｑｃｌ−ＣＲＳ−Ｉｎｆｏ−ｒ１１などの擬似コロケーション情報を提供するより上位のレイヤのパラメータの異なる値を有する前記第１のＣＳＩレポート設定および前記第２のＣＳＩレポート設定を受信することを期待しない請求項１５から２６のいずれか一項に記載の方法。
【請求項２８】
少なくとも１つのプロセッサ（４８）と、
前記少なくとも１つのプロセッサ（４８）によって実行され得る命令を含むメモリ（５０）とを含み、前記命令によって、
第１のＣＳＩレポート設定を受信し、
第２のＣＳＩレポート設定を受信し、
前記第１のＣＳＩレポート設定および前記第２のＣＳＩレポート設定のうちの１つのみに関して、更新されたＣＳＩレポートをレポートするように動作可能である無線デバイス（１４）。
【請求項２９】
前記第１のＣＳＩレポート設定に対応する第１の瞬間を決定し、
前記第２のＣＳＩレポート設定に対応する第２の瞬間を決定し、
前記第１の瞬間が前記第２の瞬間と第３の瞬間との間にない場合に前記第２のＣＳＩレポート設定を使用して前記ＣＳＩレポートを計算するようにさらに動作可能であり、前記第３の瞬間が、前記第２の瞬間よりも後にある請求項２８に記載の無線デバイス（１４）。
【請求項３０】
前記第１の瞬間を決定することが、前記第１の瞬間を
第１のＣＳＩ参照リソースを含む瞬間、および
第１のＣＳＩレポートに関する送信時間
を含む群のうちの１つとして決定するように動作可能であることを含む請求項２９に記載の無線デバイス（１４）。
【請求項３１】
前記第２の瞬間を決定することが、前記第２の瞬間を
第２のＣＳＩ参照リソースを含む瞬間、および
第２のＣＳＩレポートに関する送信時間
を含む群のうちの１つとして決定するように動作可能であることを含む請求項２９または３０に記載の無線デバイス（１４）。
【請求項３２】
前記第３の瞬間が、
前記無線デバイス（１４）が前記ＣＳＩレポートを送信する瞬間、および
前記第２の瞬間から所定の長さ後
を含む群のうちの１つであり、時間の前記所定の長さが、少なくとも１つのサブフレームである請求項２９に記載の無線デバイス（１４）。
【請求項３３】
前記第１の瞬間を決定することが、前記第１の瞬間を、第１のＣＳＩ参照リソースを含む瞬間として決定するように動作可能であることを含み、
前記第２の瞬間を決定することが、前記第２の瞬間を、第２のＣＳＩ参照リソースを含む瞬間として決定するように動作可能であることを含み、
前記第３の瞬間が、前記無線デバイス（１４）が前記ＣＳＩレポートを送信する瞬間である請求項２９に記載の無線デバイス（１４）。
【請求項３４】
前記第１の瞬間を決定することが、前記第１の瞬間を、前記第１のＣＳＩレポートに関する送信時間として決定するように動作可能であることを含み、
前記第２の瞬間を決定することが、前記第２の瞬間を、前記第２のＣＳＩレポートに関する送信時間として決定するように動作可能であることを含み、
前記第３の瞬間が、前記第２の瞬間から所定の長さ後であり、時間の前記所定の長さが、少なくとも１つのサブフレームである請求項２９に記載の無線デバイス（１４）。
【請求項３５】
時間の前記所定の長さが、前記第３の瞬間が前記第２の瞬間から（ｎｃｑｉ＿ｒｅｆ−１）サブフレーム後であるような（ｎｃｑｉ＿ｒｅｆ−１）サブフレームである請求項３２または３４に記載の無線デバイス（１４）。
【請求項３６】
前記第１のＣＳＩレポート設定を受信することが、前記無線デバイス（１４）のＣＳＩプロセスのための第１のＣＳＩリソースを受信するように動作可能であることを含み、
前記第２のＣＳＩレポート設定を受信することが、前記無線デバイス（１４）の前記ＣＳＩプロセスのための第２のＣＳＩリソースを受信するように動作可能であることを含む請求項２８から３５のいずれか一項に記載の無線デバイス（１４）。
【請求項３７】
前記第１のＣＳＩレポート設定または前記第２のＣＳＩレポート設定のどちらかに関するＣＳＩレポート要求を受信するようにさらに動作可能であり、
前記第１のＣＳＩレポート設定および前記第２のＣＳＩレポート設定のうちの１つのみに関して、前記ＣＳＩレポートをレポートすることが、前記ＣＳＩレポート要求に従って前記第１のＣＳＩレポート設定および前記第２のＣＳＩレポート設定のうちの前記１つに関して前記ＣＳＩレポートをレポートするように動作可能であることを含む請求項３６に記載の無線デバイス（１４）。
【請求項３８】
前記ＣＳＩレポート要求を受信することが、
前記ＣＳＩレポート要求が前記第１のＣＳＩレポート設定に関するものであることを示す値「１０」を受信し、
前記ＣＳＩレポート要求が前記第２のＣＳＩレポート設定に関するものであることを示す値「１１」を受信するように動作可能であることを含む請求項３７に記載の無線デバイス（１４）。
【請求項３９】
前記第１のＣＳＩレポート設定に関連するポートおよび前記第２のＣＳＩレポート設定に関連するポートが、擬似コロケーションされると常に想定され得る請求項２８から３８のいずれか一項に記載の無線デバイス（１４）。
【請求項４０】
前記無線デバイス（１４）が、ｑｃｌ−ＣＲＳ−Ｉｎｆｏ−ｒ１１などの擬似コロケーション情報を提供するより上位のレイヤのパラメータの異なる値を有する前記第１のＣＳＩレポート設定および前記第２のＣＳＩレポート設定を受信することを期待しない請求項２８から３９のいずれか一項に記載の無線デバイス（１４）。
【請求項４１】
少なくとも１つのプロセッサ（３０）と、
前記少なくとも１つのプロセッサ（３０）によって実行され得る命令を含むメモリ（３２）とを含み、前記命令によって、ネットワークノード（１２）が、
第１のＣＳＩレポート設定を用いて無線デバイス（１４）を設定し、
第２のＣＳＩレポート設定を用いて前記無線デバイス（１４）を設定し、
前記第１のＣＳＩレポート設定および前記第２のＣＳＩレポート設定のうちの１つのみに関して、前記無線デバイス（１４）からＣＳＩレポートを受信するように動作可能である、基地局（１２）。
【請求項４２】
前記第１のＣＳＩレポート設定に対応する第１の瞬間を決定し、
前記第２のＣＳＩレポート設定に対応する第２の瞬間を決定し、
前記第２のＣＳＩレポート設定を使用して前記ＣＳＩレポートを受信するようにさらに動作可能であり、前記第２のＣＳＩレポートが、前記第１の瞬間が前記第２の瞬間と第３の瞬間との間にない場合に更新され、前記第３の瞬間が、前記第２の瞬間よりも後にある請求項４１に記載の基地局（１２）。
【請求項４３】
前記第１の瞬間を決定することが、前記第１の瞬間を
第１のＣＳＩ参照リソースを含む瞬間、および
第１のＣＳＩレポートに関する送信時間
を含む群のうちの１つとして決定するように動作可能であることを含む請求項４２に記載の基地局（１２）。
【請求項４４】
前記第２の瞬間を決定することが、前記第２の瞬間を
第２のＣＳＩ参照リソースを含む瞬間、および
第２のＣＳＩレポートに関する送信時間
を含む群のうちの１つとして決定するように動作可能であることを含む請求項４２または４３に記載の基地局（１２）。
【請求項４５】
前記第３の瞬間が、
前記無線デバイス（１４）が前記ＣＳＩレポートを送信する瞬間、および
前記第２の瞬間から所定の長さ後
を含む群のうちの１つであり、時間の前記所定の長さが、少なくとも１つのサブフレームである請求項４４に記載の基地局（１２）。
【請求項４６】
前記第１の瞬間を決定することが、前記第１の瞬間を、第１のＣＳＩ参照リソースを含む瞬間として決定するように動作可能であることを含み、
前記第２の瞬間を決定することが、前記第２の瞬間を、第２のＣＳＩ参照リソースを含む瞬間として決定するように動作可能であることを含み、
前記第３の瞬間が、前記無線デバイス（１４）が前記ＣＳＩレポートを送信する瞬間である請求項４２に記載の基地局（１２）。
【請求項４７】
前記第１の瞬間を決定することが、前記第１の瞬間を、前記第１のＣＳＩレポートに関する送信時間として決定するように動作可能であることを含み、
前記第２の瞬間を決定することが、前記第２の瞬間を、前記第２のＣＳＩレポートに関する送信時間として決定するように動作可能であることを含み、
前記第３の瞬間が、前記第２の瞬間から所定の長さ後であり、時間の前記所定の長さが、少なくとも１つのサブフレームである請求項４２に記載の基地局（１２）。
【請求項４８】
時間の前記所定の長さが、前記第３の瞬間が前記第２の瞬間から（ｎｃｑｉ＿ｒｅｆ−１）サブフレーム後であるような（ｎｃｑｉ＿ｒｅｆ−１）サブフレームである請求項４５または４７に記載の基地局（１２）。
【請求項４９】
前記第１のＣＳＩレポート設定を用いて前記無線デバイス（１４）を設定することが、前記無線デバイス（１４）のＣＳＩプロセスのための第１のＣＳＩリソースを用いて前記無線デバイス（１４）を設定するように動作可能であることを含み、
前記第２のＣＳＩレポート設定を用いて前記無線デバイス（１４）を設定することが、前記無線デバイス（１４）の前記ＣＳＩプロセスのための第２のＣＳＩリソースを用いて前記無線デバイス（１４）を設定するように動作可能であることを含む請求項４１から４８のいずれか一項に記載の基地局（１２）。
【請求項５０】
前記第１のＣＳＩレポート設定または前記第２のＣＳＩレポート設定のどちらかに関するＣＳＩレポート要求を前記無線デバイス（１４）に送信するようにさらに動作可能であり、
前記第１のＣＳＩレポート設定および前記第２のＣＳＩレポート設定のうちの１つのみに関して、前記ＣＳＩレポートを受信することが、前記ＣＳＩレポート要求に従って前記第１のＣＳＩレポート設定および前記第２のＣＳＩレポート設定のうちの前記１つに関して前記ＣＳＩレポートを受信するように動作可能であることを含む請求項４９に記載の基地局（１２）。
【請求項５１】
前記ＣＳＩレポート要求を送信することが、
前記ＣＳＩレポート要求が前記第１のＣＳＩレポート設定に関するものであることを示す値「１０」を送信し、
前記ＣＳＩレポート要求が前記第２のＣＳＩレポート設定に関するものであることを示す値「１１」を送信するように動作可能であることを含む請求項５０に記載の基地局（１２）。
【請求項５２】
前記第１のＣＳＩレポート設定に関連するポートおよび前記第２のＣＳＩレポート設定に関連するポートが、擬似コロケーションされると常に想定され得る請求項４１から５１のいずれか一項に記載の基地局（１２）。
【請求項５３】
前記無線デバイス（１４）が、ｑｃｌ−ＣＲＳ−Ｉｎｆｏ−ｒ１１などの擬似コロケーション情報を提供するより上位のレイヤのパラメータの異なる値を有する前記第１のＣＳＩレポート設定および前記第２のＣＳＩレポート設定を受信することを期待しない請求項４１から５２のいずれか一項に記載の基地局（１２）。
【請求項５４】
第１のＣＳＩレポート設定を受信し、
第２のＣＳＩレポート設定を受信し、
前記第１のＣＳＩレポート設定および前記第２のＣＳＩレポート設定のうちの１つのみに関して、更新されたＣＳＩレポートをレポートするように適合された無線デバイス（１４）。
【請求項５５】
請求項２から１４のいずれか一項に記載の方法を実行するように適合された請求項５４に記載の無線デバイス（１４）。
【請求項５６】
少なくとも１つのプロセッサによって実行されるときに前記少なくとも１つのプロセッサに請求項１から１４のいずれか一項に記載の方法を実行させる命令を含むコンピュータプログラム。
【請求項５７】
請求項５６のコンピュータプログラムを含むキャリアであって、電子信号、光信号、無線信号、またはコンピュータ可読ストレージ媒体のうちの１つである、キャリア。
【請求項５８】
第１のＣＳＩレポート設定を用いて無線デバイス（１４）を設定し、
第２のＣＳＩレポート設定を用いて前記無線デバイス（１４）を設定し、
前記第１のＣＳＩレポート設定および前記第２のＣＳＩレポート設定のうちの１つのみに関して、前記無線デバイス（１４）から更新されたＣＳＩレポートを受信する
ように適合された基地局（１２）。
【請求項５９】
請求項１６から２７のいずれか一項に記載の方法を実行するように適合された請求項５８に記載の基地局（１２）。
【請求項６０】
少なくとも１つのプロセッサによって実行されるときに前記少なくとも１つのプロセッサに請求項１５から２７のいずれか一項に記載の方法を実行させる命令を含むコンピュータプログラム。
【請求項６１】
請求項６０のコンピュータプログラムを含むキャリアであって、電子信号、光信号、無線信号、またはコンピュータ可読ストレージ媒体のうちの１つである、キャリア。
【請求項６２】
第１のＣＳＩレポート設定を受信し、第２のＣＳＩレポート設定を受信し、前記第１のＣＳＩレポート設定および前記第２のＣＳＩレポート設定のうちの１つのみに関して、更新されたＣＳＩレポートをレポートするように動作可能である１つまたは複数のモジュール（６４）を含む無線デバイス（１４）。
【請求項６３】
第１のＣＳＩレポート設定を用いて無線デバイス（１４）を設定し、第２のＣＳＩレポート設定を用いて前記無線デバイス（１４）を設定し、前記第１のＣＳＩレポート設定および前記第２のＣＳＩレポート設定のうちの１つのみに関して、前記無線デバイス（１４）から更新されたＣＳＩレポートを受信するように動作可能である１つまたは複数のモジュール（６２）を含む基地局（１２）。
【発明の詳細な説明】
【技術分野】
【０００１】
関連出願
本出願は、２０１６年４月１日に出願した仮特許出願第６２／３１６，８９３号の利益を主張するものであり、この仮特許出願の開示は、その全体が参照により本明細書に援用される。
【０００２】
本開示は、低複雑性マルチ設定チャネル状態情報（ＣＳＩ）レポートに関する。
【背景技術】
【０００３】
プリコーディングされないおよびビームフォーミングされるチャネル状態情報参照信号（ＣＳＩ−ＲＳ）の動作は、それぞれ、「クラスＡ」または「クラスＢ」として設定されたＣＳＩプロセスおよび／またはＣＳＩ−ＲＳリソースによってサポートされる。ダイナミックビームフォーミングは、１つのサブフレームにおいてのみＣＳＩ−ＲＳを測定するようにＵＥを制約するチャネル測定の制約によってサポートされ、したがって、ユーザ機器（ＵＥ）は、ＣＳＩに対するビームフォーミングがサブフレームによって変わっているときにＣＳＩを平均しない。チャネル測定の制約は、Ｌｏｎｇ  Ｔｅｒｍ  Ｅｖｏｌｕｔｉｏｎ（ＬＴＥ）Ｒｅｌ−１３においてはクラスＢ動作のためにのみサポートされる。
【０００４】
クラスＢ動作のために設定されたＵＥは、ＬＴＥ  Ｒｅｌ−１３においては１つのＣＳＩプロセス内で各ＣＳＩリソースに最大８つのポートがあるようにして最大８つのＣＳＩ−ＲＳリソースを用いて設定され得る。そのようなＵＥは、ＣＳＩ−ＲＳリソースのうちのどれにおいてそのＵＥが最も良好にサーブされるかを示すためのＣＳＩ−ＲＳリソースインジケータ（ＣＲＩ）をレポートするように設定され得る。そのとき、ＵＥは、最良のＣＳＩ−ＲＳリソースに関してのみチャネル品質インジケータ（ＣＱＩ）、ランクインジケータ（ＲＩ）、および／またはプリコーディング行列インジケータ（ＰＭＩ）を提供する。
【０００５】
１つのＣＳＩ−ＲＳリソースを用いてクラスＢ動作のために設定されたＵＥは、ポート選択および同相化（ｃｏｐｈａｓｉｎｇ）コードブックを使用する可能性があり、ＵＥは、ＣＳＩ−ＲＳポートのサブセットおよび選択されたポートを組み合わせる同相化係数を選択する。これは、「ａｌｔｅｒｎａｔｉｖｅＣｏｄｅｂｏｏｋＥｎａｂｌｅｄＣＬＡＳＳＢ＿Ｋ１」によってレイヤ１ＬＴＥスペック（ｌａｙｅｒ  １  ＬＴＥ  ｓｐｅｃｓ）において特定され、３ＧＰＰ  ＲＡＮ１のＬＴＥ提言（ＬＴＥ  ｃｏｎｔｒｉｂｕｔｉｏｎ）においては「Ｗ２オンリー（Ｗ２−ｏｎｌｙ）」コードブックと呼ばれてきた。
【０００６】
多数のＣＳＩ−ＲＳポートがクラスＡまたはクラスＢ動作のために使用されるとき、オーバーヘッドが大きくなる可能性がある。このオーバーヘッドを削減するために提案された１つの手法は、多数のクラスＡのＣＳＩ−ＲＳポートを少ない頻度で送信し、いくつかのクラスＢのＣＳＩ−ＲＳポートを頻繁に送信することであった。クラスＡからのＵＥのフィードバックが、クラスＢのＣＳＩ−ＲＳに適用されるビームを選択するために使用される。クラスＡのＣＳＩ−ＲＳとクラスＢのＣＳＩ−ＲＳとの両方のこの使用は、「ハイブリッド」ＣＳＩレポートと呼ばれる。アレイの各エレメントへのチャネルを測定するためにクラスＡを使用することによって、クラスＢのために使用されるビームフォーミングの重みが、正確に、エボルブドＮｏｄｅＢ（ｅＮＢ）を複雑にせずに決定され得る。少ない数にポートによるクラスＢの使用は、削減されたＣＳＩフィードバックのオーバーヘッドを可能にし、ＵＥのＣＳＩの計算の複雑性を制限する。
【０００７】
ＬＴＥ  Ｒｅｌ−１３においては２つのＣＳＩプロセスを使用してハイブリッドＣＳＩレポートをサポートすることが可能であり、第１のプロセスがクラスＡによって設定され、第２のプロセスがクラスＢによって設定される。しかし、２ＣＳＩの処理能力は、ＵＥが１つではなく２つのレポートのためにＣＳＩを計算できなければならないため単一のＣＳＩプロセスのレポートよりもＵＥにとって複雑である。
【０００８】
ハイブリッドＣＳＩ−ＲＳレポートは、クラスＡおよびクラスＢのレポートを送信することをＵＥに要求し、１つのＣＳＩプロセス内でそのようにすることは、新しいレポートメカニズムが必要とされることを意味する。
【０００９】
２つのＣＳＩプロセスを用いて設定されるＵＥは、２倍のＣＳＩを計算することが必要である場合が多い。これは、ｅＮＢが所与のサブフレームにおいてどちらかのまたは両方のＣＳＩプロセスのためのＣＳＩレポートを要求する可能性があり、ＣＳＩレポートがＣＳＩの計算の複雑性を減らすためにＣＳＩレポートを分けるために使用され得る決まった周期を持たない非周期的なレポートに特に当てはまる。
【００１０】
したがって、複数のＣＳＩレポート設定からのＣＳＩフィードバックを提供するためのシステムおよび方法が、必要とされる。
【発明の概要】
【００１１】
低複雑性マルチ設定チャネル状態情報（ＣＳＩ）レポートのためのシステムおよび方法が、提供される。一部の実施形態においては、複数のＣＳＩレポート設定からのＣＳＩフィードバックを提供するためにセルラ通信ネットワークにおいて無線デバイスを動作させる方法が、提供される。方法は、第１のおよび第２のＣＳＩレポート設定を受信することと、それから、第１のＣＳＩレポート設定および第２のＣＳＩレポート設定のうちの１つのみに関して、ＣＳＩレポートにおいて更新されたＣＳＩをレポートすることとを含む。このように、多くのポート、異なるコードブック、混合されたビームフォーミングされるおよびプリコーディングされないチャネル状態情報参照信号（ＣＳＩ−ＲＳ）の設定などによる豊富なＣＳＩフィードバックが、無線デバイスにおいてより少ない計算の複雑性を必要としながらサポートされ得る。
【００１２】
一部の実施形態によれば、無線デバイスが、複数のＣＳＩレポート設定を用いて設定されるが、無線デバイスが一度に１つのＣＳＩレポートのみを計算する必要があるような制約が使用される。ＣＳＩ設定は、ＣＳＩプロセスである可能性があり、またはＣＳＩ−ＲＳ設定、およびコードブックの設定、擬似コロケーション（ｑｕａｓｉ−ｃｏｌｌｏｃａｔｉｏｎ）情報などの関連するパラメータである可能性がある。
【００１３】
（ＣＳＩの周期的なレポートに潜在的によく適する）一部の実施形態においては、無線デバイスが、主ＣＳＩ設定に関連付けられる副ＣＳＩ設定を用いて設定される。主ＣＳＩ設定に関するレポートは、主ＣＳＩが最近更新および／またはレポートされた場合に無線デバイスが副ＣＳＩを更新および／またはレポートすることを要求されないように副設定に優先する。
【００１４】
（非周期的なＣＳＩレポートに潜在的によく適する）一部の実施形態において、ｅＮＢは、ＣＳＩプロセスに関するＣＳＩレポートを要求し、無線デバイスは、その無線デバイスがいくつの副ＣＳＩプロセスをサポートすることができるかに応じて、その無線デバイスが設定される数未満の数のＣＳＩレポートを提供することを要求される。
【００１５】
（非周期的なＣＳＩレポートに潜在的によく適する）代替的な手法において、ｅＮＢは、ＣＳＩリソースに関するＣＳＩレポートを要求し、複数のＣＳＩリソースが、単一のＣＳＩプロセスに関連付けられ得る。
【００１６】
本明細書において説明される特徴の例示的な利点として、多くのポート、異なるコードブック、混合されたビームフォーミングされるおよびプリコーディングされないＣＳＩ−ＲＳの設定などによる豊富なＣＳＩフィードバックが、無線デバイスにおいてより少ない計算の複雑性を必要としながらサポートされ得る。
【００１７】
無線デバイスは、その無線デバイスがたとえばクラスＡおよびクラスＢ  ＣＳＩプロセスによって設定されたとした場合にその無線デバイスが要求されるように一度に２組のＣＳＩではなく一度に１組のＣＳＩを計算することのみを要求される。
【００１８】
Ｒｅｌ−１３  ＣＳＩレポートメカニズムは、大部分が再利用され得る。新しい物理アップリンク制御チャネル（ＰＵＣＣＨ）のレポートの種類、タイミングオフセット、周期などは必要ない。Ｒｅｌ−１３  ＣＳＩプロセスの構造が、たとえば、ハイブリッドＣＳＩ−ＲＳプロセスを規定する必要なしに使用され得る。
【００１９】
クラスＡおよびＢ、２つのクラスＡまたは２つのクラスＢ  ＣＳＩプロセス、ＣＳＩプロセスにおける異なる数のポート、異なるコードブックの種類などの組合せなどのＣＳＩレポート設定の任意の組合せが、可能である。
【００２０】
既存の無線デバイスの能力が、無線デバイスが所与の総数のＣＳＩプロセスをサポートするときにサポートすることができる副ＣＳＩプロセスの数を定義することによって容易に拡張され得る。また、ｅＮＢの送信電力およびＣＳＩ−ＲＳのオーバーヘッドが、ほとんどいつもより少ないＣＳＩ−ＲＳポートを送信することによっておよびＣＳＩ−ＲＳのビームフォーミングの利得によって削減され得る。
【００２１】
一部の実施形態においては、複数のＣＳＩレポート設定からのＣＳＩフィードバックを提供するためにセルラ通信ネットワークにおいて無線デバイスを動作させる方法が、第１のＣＳＩレポート設定に対応する第１の瞬間（ｔｉｍｅ  ｉｎｓｔａｎｔ）および第２のＣＳＩレポート設定に対応する第２の瞬間を決定することを含む。方法は、第１の瞬間が第２の瞬間と第３の瞬間との間にない場合に第２のＣＳＩレポート設定を使用してＣＳＩレポートを計算することであって、第３の瞬間が、第２の瞬間よりも後にある、計算することを含む。
【００２２】
一部の実施形態において、第１の瞬間を決定することは、第１の瞬間を、第１のＣＳＩ参照リソースを含む瞬間および第１のＣＳＩレポートに関する送信時間のうちの１つとして決定することを含む。
【００２３】
一部の実施形態において、第２の瞬間を決定することは、第２の瞬間を、第２のＣＳＩ参照リソースを含む瞬間および第２のＣＳＩレポートに関する送信時間のうちの１つとして決定することを含む。
【００２４】
一部の実施形態において、第３の瞬間は、無線デバイス（１４）がＣＳＩレポートを送信する瞬間、および第２の瞬間から所定の長さ後、のうちの１つであり、時間の所定の長さは、少なくとも１つのサブフレームである。
【００２５】
一部の実施形態において、第１の瞬間を決定することは、第１の瞬間を、第１のＣＳＩ参照リソースを含む瞬間として決定することを含み、第２の瞬間を決定することは、第２の瞬間を、第２のＣＳＩ参照リソースを含む瞬間として決定することを含み、第３の瞬間は、無線デバイスがＣＳＩレポートを送信する瞬間である。
【００２６】
一部の実施形態において、第１の瞬間を決定することは、第１の瞬間を、第１のＣＳＩレポートに関する送信時間として決定することを含み、第２の瞬間を決定することは、第２の瞬間を、第２のＣＳＩレポートに関する送信時間として決定することを含み、第３の瞬間は、第２の瞬間から所定の長さ後であり、時間の所定の長さは、少なくとも１つのサブフレームである。一部の実施形態において、時間の所定の長さは、第３の瞬間が第２の瞬間から（ｎｃｑｉ＿ｒｅｆ−１）サブフレーム後であるような（ｎｃｑｉ＿ｒｅｆ−１）サブフレームである。
【００２７】
一部の実施形態において、第１のＣＳＩレポート設定を受信することは、無線デバイスのＣＳＩプロセスのための第１のＣＳＩリソースを受信することを含み、第２のＣＳＩレポート設定を受信することは、無線デバイスのＣＳＩプロセスのための第２のＣＳＩリソースを受信することを含む。一部の実施形態において、方法は、第１のＣＳＩレポート設定または第２のＣＳＩレポート設定のどちらかに関するＣＳＩレポート要求を受信することと、ＣＳＩレポート要求に従って第１のＣＳＩレポート設定および第２のＣＳＩレポート設定のうちの１つに関してＣＳＩレポートをレポートすることとをさらに含む。
【００２８】
一部の実施形態において、値「１０」を受信することは、ＣＳＩレポート要求が第１のＣＳＩレポート設定に関するものであることを示す。値「１１」を受信することは、ＣＳＩレポート要求が第２のＣＳＩレポート設定に関するものであることを示す。
【００２９】
一部の実施形態において、第１のＣＳＩレポート設定に関連するポートおよび第２のＣＳＩレポート設定に関連するポートは、擬似コロケーションされる（ｑｕａｓｉ−ｃｏｌｌｏｃａｔｅｄ）と常に想定され得る。一部の実施形態において、無線デバイスは、ｑｃｌ−ＣＲＳ−Ｉｎｆｏ−ｒ１１などの擬似コロケーション情報を提供するより上位のレイヤのパラメータの異なる値を有する第１のＣＳＩレポート設定および第２のＣＳＩレポート設定を受信することを期待しない。
【００３０】
一部の実施形態においては、セルラ通信ネットワークにおいて無線デバイスを動作させる方法が、無線デバイスがサービングセルにおいて設定され得るＣＳＩレポートの第１の数をレポートすることと、無線デバイスがサービングセルのためのレポート期間に更新されたＣＳＩフィードバックをレポートし得るＣＳＩレポートの第２の数をレポートすることとを含む。
【００３１】
一部の実施形態においては、セルラ通信ネットワークにおいて基地局を動作させる方法が、複数のＣＳＩレポート設定からのＣＳＩフィードバックを受信することを含む。方法は、第１のおよび第２のＣＳＩレポート設定を用いて無線デバイスを設定することと、それから、第１のＣＳＩレポート設定および第２のＣＳＩレポート設定のうちの１つのみに関して、更新される無線デバイスからのＣＳＩレポートを受信することとをさらに含む。
【００３２】
一部の実施形態においては、無線デバイスが、少なくとも１つのプロセッサおよびメモリを含む。メモリは、少なくとも１つのプロセッサによって実行され得る命令を含み、命令によって、無線デバイスは、第１のおよび第２のＣＳＩレポート設定を受信し、第１のＣＳＩレポート設定および第２のＣＳＩレポート設定のうちの１つのみに関して、更新されたＣＳＩレポートをレポートするように動作可能である。
【００３３】
一部の実施形態においては、基地局が、少なくとも１つのプロセッサおよびメモリを含む。メモリは、少なくとも１つのプロセッサによって実行され得る命令を含み、命令によって、ネットワークノードは、第１のおよび第２のＣＳＩレポート設定を用いて無線デバイスを設定し、第１のＣＳＩレポート設定および第２のＣＳＩレポート設定のうちの１つのみに関して、無線デバイスからＣＳＩレポートを受信するように動作可能である。
【００３４】
一部の実施形態においては、無線デバイスが、第１のおよび第２のＣＳＩレポート設定を受信し、第１のＣＳＩレポート設定および第２のＣＳＩレポート設定のうちの１つのみに関して、更新されたＣＳＩレポートをレポートするように動作可能である１つまたは複数のモジュールを含む。
【００３５】
一部の実施形態においては、基地局が、第１のおよび第２のＣＳＩレポート設定を用いて無線デバイスを設定し、第１のＣＳＩレポート設定および第２のＣＳＩレポート設定のうちの１つのみに関して、無線デバイスから更新されたＣＳＩレポートを受信するように動作可能である１つまたは複数のモジュールを含む。
【００３６】
様々なその他の特徴および利点が、下の詳細な説明および図面に照らして当業者に明らかになるであろう。
【００３７】
当業者は、添付の図面に関連して実施形態の下の詳細な説明を読んだ後、本開示の範囲を理解し、本開示の追加的な態様を認識するであろう。
【００３８】
本明細書に組み込まれ、本明細書の一部を形成する添付の図面は、本開示のいくつかの態様を示し、説明と一緒に本開示の原理を説明するように働く。
【図面の簡単な説明】
【００３９】
【図１】本開示の一部の実施形態による無線通信ネットワークを示す図である。
【図２】本開示の一部の実施形態によるＬｏｎｇ  Ｔｅｒｍ  Ｅｖｏｌｕｔｉｏｎ（ＬＴＥ）のダウンリンクの物理リソースを示す図である。
【図３】本開示の一部の実施形態によるＬＴＥの時間領域の構造を示す図である。
【図４】本開示の一部の実施形態によるダウンリンクのサブフレームにおける参照信号を示す図である。
【図５】本開示の一部の実施形態によるアップリンクのＬ１／Ｌ２制御シグナリングの送信を示す図である。
【図６】本開示の一部の実施形態によるプリコーディングされる空間多重化のための送信構造を示す図である。
【図７Ａ−Ｂ】本開示の一部の実施形態による交差偏波（ｃｒｏｓｓ−ｐｏｌａｒｉｚｅｄ）アンテナエレメントの２次元アンテナアレイを示す図である。
【図８】本開示の一部の実施形態による無線デバイスの動作の方法を示す図である。
【図９】本開示の一部の実施形態による無線デバイスの動作の方法を示す図である。
【図１０】本開示の一部の実施形態による無線デバイスの動作の方法を示す図である。
【図１１】本開示の一部の実施形態による、いくつかのＣＳＩレポートインスタンスを示す図である。
【図１２】本開示の一部の実施形態による、いくつかのＣＳＩレポートインスタンスを示す図である。
【図１３】本開示の一部の実施形態による、いくつかのＣＳＩレポートインスタンスを示す図である。
【図１４】本開示の一部の実施形態による基地局の図である。
【図１５】本開示の一部の実施形態による無線デバイスの図である。
【図１６】本開示の一部の実施形態によるネットワークノードの仮想化された実施形態を示す概略的なブロック図である。
【図１７】本開示のいくつかの実施形態によるモジュールを含む基地局のブロック図である。
【図１８】本開示の一部の実施形態によるモジュールを含む無線デバイスのブロック図である。
【発明を実施するための形態】
【００４０】
下で説明される実施形態は、当業者が実施形態を実施することを可能にするための情報を示し、実施形態を実施する最良の形態を示す。添付の図面に照らして下の説明を読むと、当業者は、本開示の概念を理解し、本明細書において特に述べられないこれらの概念の応用を認識する。これらの概念および応用は本開示および添付の請求項の範囲内に入ることを理解されたい。
【００４１】
本明細書における「一実施形態」、「実施形態」、「例示的な実施形態」などの言及は、説明される実施形態が特定の特徴、構造、または特性を含む可能性があるが、必ずしもあらゆる実施形態が特定の特徴、構造、または特性を含まない可能性があることを示す。その上、そのような言い回しは、必ずしも同じ実施形態について言及しているとは限らない。さらに、特定の特徴、構造、または特性が実施形態に関連して説明されるとき、明示的に説明されたか否かにかかわらず、そのような特徴、構造、または特性をその他の実施形態に関連して実装することは当業者の知識の範囲内にあると考えられる。
【００４２】
以下の説明および請求項において、用語「結合された」および「接続された」がそれらの派生語とともに使用される可能性がある。これらの用語は、互いの同義語として意図されていないことを理解されたい。「結合された」は、互いに直接物理的にまたは電気的に接触している可能性がありまたは接触していない可能性がある２つ以上の要素が互いに協力するかまたはインタラクションすることを示すために使用される。「接続された」は、互いに結合される２つ以上の要素の間の通信の確立を示すために使用される。
【００４３】
電子デバイス（たとえば、末端局（ｅｎｄ  ｓｔａｔｉｏｎ）、ネットワークデバイス）が、非一時的機械可読媒体（たとえば、磁気ディスク、光ディスク、読み出し専用メモリ、フラッシュメモリデバイス、相変化メモリなどの機械可読記憶媒体）および一時的機械可読送信媒体（たとえば、−搬送波、赤外線信号などの−電気的、光学的、音響的、またはその他の形態の伝播信号）などの機械可読媒体を使用して（ソフトウェア命令からなる）コードおよびデータを記憶し、（内部でおよび／またはネットワークを介してその他の電子デバイスと）送信する。加えて、そのような電子デバイスは、（コードおよび／またはデータを記憶するための）１つまたは複数の非一時的機械可読媒体、ユーザ入力／出力デバイス（たとえば、キードード、タッチスクリーン、および／またはディスプレイ）、ならびに（伝播する信号を使用してコードおよび／またはデータを送信するための）ネットワーク接続などの１つまたは複数のその他の構成要素に結合された１つまたは複数のプロセッサの組などのハードウェアを含む。プロセッサの組およびその他の構成要素の結合は、概して、１つまたは複数のバスおよびブリッジ（バスコントローラとも呼ばれる）による。したがって、所与の電子デバイスの非一時的機械可読媒体は、概して、その電子デバイスの１つまたは複数のプロセッサ上で実行するための命令を記憶する。実施形態の１つまたは複数の部分は、ソフトウェア、ファームウェア、および／またはハードウェアの異なる組合せを使用して実装される可能性がある。
【００４４】
本明細書において使用されるとき、ネットワークノードは、ネットワーク上のその他の機器（たとえば、その他のネットワークデバイス、末端局）を通信可能なように相互接続するハードウェアおよびソフトウェアを含むネットワーキング機器である。一部のネットワークデバイスは、複数のネットワーキング機能（たとえば、ルーティング、ブリッジング、スイッチング、レイヤ２アグリゲーション、セッションボーダー制御（ｓｅｓｓｉｏｎ  ｂｏｒｄｅｒ  ｃｏｎｔｒｏｌ）、サービス品質（ＱｏＳ）、および／もしくは加入者管理）のサポートを提供し、ならびに／または複数のアプリケーションサービス（たとえば、データ、音声、および動画）のサポートを提供する「複数サービスネットワークデバイス（ｍｕｌｔｉｐｌｅ  ｓｅｒｖｉｃｅｓ  ｎｅｔｗｏｒｋ  ｄｅｖｉｃｅ）」である。加入者末端局（たとえば、サーバ、ワークステーション、ラップトップ、ネットブック、パームトップ、モバイル電話、スマートフォン、マルチメディア電話、ボイスオーバインターネットプロトコル（ＶＯＩＰ）電話、ユーザ機器、端末、ポータブルメディアプレイヤー、ＧＰＳユニット、ゲームシステム、セットトップボックス）は、インターネットを介して提供されるコンテンツ／サービスおよび／またはインターネット上に被せられた（たとえば、インターネットを通じてトンネリングされた）仮想プライベートネットワーク（ＶＰＮ）上で提供されるコンテンツ／サービスにアクセスする。コンテンツおよび／またはサービスは、概して、サービスもしくはコンテンツプロバイダに属する１つもしくは複数の末端局（たとえば、サーバ末端局）またはピアツーピアサービスに参加する末端局によって提供され、たとえば、公開されたウェブページ（たとえば、フリーコンテンツ、ウェブ商店（ｓｔｏｒｅ  ｆｒｏｎｔ）、検索サービス）、非公開のウェブページ（たとえば、電子メールサービスを提供するユーザ名／パスワードによってアクセスされるウェブページ）、および／またはＶＰＮ上の企業ネットワークを含み得る。概して、加入者末端局は、その他の末端局（たとえば、サーバ末端局）に結合されるその他のエッジネットワークデバイスに（たとえば、１つまたは複数のコアネットワークデバイスを通じて）結合されるエッジネットワークデバイスに（たとえば、（有線または無線で）アクセスネットワークに結合された顧客構内設備（ｃｕｓｔｏｍｅｒ  ｐｒｅｍｉｓｅ  ｅｑｕｉｐｍｅｎｔ）を通じて）結合される。当業者は、任意のネットワークデバイス、末端局、またはその他のネットワーク装置が本明細書において説明される様々な機能を実行することができることを認めるであろう。
【００４５】
説明される解決策は任意の好適な通信規格をサポートし、任意の好適な構成要素を使用する任意の適切な種類の電気通信システムに実装され得るが、説明される解決策の特定の実施形態は、図１に示されるような無線通信ネットワーク１０に実装される可能性がある。
【００４６】
図１に示されるように、例示的な無線通信ネットワークは、無線通信デバイスの間または無線通信デバイスと（固定電話などの）別の通信デバイスとの間の通信をサポートするために好適な任意の追加的な要素と一緒に無線通信デバイスと通信することができる、本明細書においては集合的に無線アクセスノード１２と呼ばれる１つまたは複数の無線アクセスノード１２−１、１２−２、および１２−３（たとえば、エボルブドＮｏｄｅＢ（ｅＮＢ）またはその他の基地局１２）を含み得る。
【００４７】
例示的な無線通信ネットワーク１０は、本明細書においては集合的に無線デバイス１４と呼ばれる無線デバイスの１つまたは複数のインスタンス１４−１から１４−５（たとえば、通常のユーザ機器（ＵＥ）、マシン型通信（ＭＴＣ）／マシンツーマシン（Ｍ２Ｍ）ＵＥ）も含む可能性がある。示された無線デバイス１４はハードウェアおよび／またはソフトウェアの任意の好適な組合せを含む通信デバイスを表す可能性があるが、これらの無線デバイス１４は、特定の実施形態において、図１５および１８によってより詳細に示される例示的な無線デバイスなどのデバイスを表す可能性がある。同様に、示された無線アクセスノード１２はハードウェアおよび／またはソフトウェアの任意の好適な組合せを含むネットワークノードを表す可能性があるが、これらのノードは、特定の実施形態において、図１４、１６、および１７によってより詳細に示される例示的な基地局１２などのデバイスを表す可能性がある。
【００４８】
３ＧＰＰ  Ｌｏｎｇ  Ｔｅｒｍ  Ｅｖｏｌｕｔｉｏｎ（ＬＴＥ）からの用語が本開示において使用されたが、これは上述のシステムのみに範囲を限定するとみなされるべきでないことがまず留意される。広帯域符号分割多元接続（ＷＣＤＭＡ）、ＷｉＭａｘ、ウルトラモバイルブロードバンド（ＵＭＢ）、および移動体通信用グローバルシステム（ＧＳＭ）を含むその他の無線システムも、本開示に包含される考えを利用することから恩恵を受ける可能性がある。
【００４９】
また、ｅＮＢおよびＵＥなどの用語は非限定的であると考えられるべきであり、特に、これら２つの間の特定の階層的関係を示唆せず、概して、「ｅＮｏｄｅＢ」はデバイス１と考えられる可能性があり、「ＵＥ」はデバイス２と考えられる可能性があり、これらの２つのデバイスは何らかの無線チャネルを介して互いに通信することにも留意されたい。本明細書においては、ダウンリンクの無線送信に焦点を当てるが、実施形態はアップリンクにおいても等しく適用可能である。
【００５０】
ＬＴＥは、ダウンリンクに直交周波数分割多重（ＯＦＤＭ）を使用し、アップリンクに離散フーリエ変換（ＤＦＴ）拡散ＯＦＤＭを使用する。したがって、基本的なＬＴＥのダウンリンクの物理リソースは、各リソースエレメントが１つのＯＦＤＭシンボル間隔中の１つのＯＦＤＭサブキャリアに対応する図２に示される時間−周波数グリッドとみなされ得る。
【００５１】
時間領域において、ＬＴＥのダウンリンクの送信は、１０ｍｓの無線フレームへと編成され、各無線フレームは、図３に示されるように、長さＴｓｕｂｆｒａｍｅ＝１ｍｓの１０個の等しいサイズのサブフレームからなる。
【００５２】
さらに、ＬＴＥのリソース割り当ては、通常、リソースブロックによって示され、リソースブロックは、時間領域の１スロット（０．５ｍｓ）および周波数領域の１２個の連続するサブキャリアに対応する。リソースブロックは、周波数領域において、システムの帯域幅の一端から０で始まるように番号を振られる。
【００５３】
ダウンリンクの送信は、動的にスケジューリングされ、つまり、各サブフレームにおいて、基地局は、どの端末にデータが送信されるのかおよび現在のダウンリンクのサブフレーム内のどのリソースブロックにおいてデータが送信されるのかについての制御情報を送信する。この制御シグナリングは、通常、各サブフレーム内の初めの１つ、２つ、３つ、または４つのＯＦＤＭシンボルにおいて送信される。３つのＯＦＤＭシンボルを制御として用いるダウンリンクシステムが、図４に示される。
【００５４】
ＬＴＥは、サブフレームにおいてダウンリンクのデータを受信した後、端末がそのデータを復号しようと試み、復号が成功した（ＡＣＫ）かまたは成功しなかった（ＮＡＣＫ）かを基地局にレポートするハイブリッド自動再送要求（ＨＡＲＱ）を使用する。復号の試みが失敗する場合、基地局は、誤ったデータを再送信し得る。
【００５５】
端末から基地局へのアップリンクの制御シグナリングは、
・受信されたダウンリンクのデータに関するＨＡＲＱ肯定応答、
・ダウンリンクのスケジューリングのための補助として使用される、ダウンリンクのチャネルの状態に関する端末のレポート、
・モバイル端末がアップリンクのデータ送信のためのアップリンクのリソースを必要とすることを示すスケジューリング要求からなる。
【００５６】
モバイル端末がデータ送信のためのアップリンクリソースを割り振られていない場合、Ｌ１／Ｌ２制御情報（チャネルステータスレポート、ＨＡＲＱ肯定応答、およびスケジューリング要求）が、物理アップリンク制御チャネル（ＰＵＣＣＨ）上のアップリンクのＬ１／Ｌ２制御のために特に割り振られたアップリンクリソース（リソースブロック）内で送信される。図５に示されるように、これらのリソースは、利用可能なセルの帯域幅全体の端にある。それぞれのそのようなリソースは、アップリンクのサブフレームの２つのスロットの各々の中の１２個の「サブキャリア」（１つのリソースブロック）からなる。周波数ダイバーシティを提供するために、これらの周波数リソースは、スロットの境界上で周波数ホッピングしており、つまり、１つの「リソース」が、サブフレームの第１のスロット内のスペクトルの上側の部分の１２個のサブキャリアおよびサブフレームの第２のスロット中のスペクトルの下側の部分の等しいサイズのリソースまたはその逆からなる。より多くのリソースがアップリンクのＬ１／Ｌ２制御シグナリングのために必要とされる場合、たとえば、多数のユーザをサポートする非常に大きな全体的な送信帯域幅の場合、追加的なリソースブロックが、前に割り振られたリソースブロックに隣接して割り振られる可能性がある。
【００５７】
上述のように、アップリンクのＬ１／Ｌ２制御シグナリングは、ＨＡＲＱ肯定応答、チャネルステータスレポート、およびスケジューリング要求を含む。これらの種類のメッセージの異なる組合せが、以下でさらに説明されるように可能であるが、これらの場合の構造を説明するために、ＨＡＲＱおよびスケジューリング要求から始まって、これらの種類の各々の別々の送信を最初に検討することが有益である。それぞれの異なる数のビットを運ぶことができるＰＵＣＣＨのために規定された３つのフォーマットがある。この検討のためには、ＰＵＣＣＨフォーマット２が、最も興味深い。
【００５８】
チャネルステータスレポートは、チャネルに依存したスケジューリングを支援するために端末におけるチャネル特性の推定値を基地局１２に提供するために使用される。チャネルステータスレポートは、サブフレーム毎に複数ビットからなる。サブフレーム毎に最大２ビットの情報の能力があるＰＵＣＣＨフォーマット１は、明らかにこの目的で使用され得ない。その代わりに、ＰＵＣＣＨ上のチャネルステータスレポートの送信は、サブフレーム毎に複数の情報ビットの能力があるＰＵＣＣＨフォーマット２によって扱われる。実際には、ＬＴＥの仕様においては３つの変種、フォーマット２、２ａ、および２ｂがあり、後の２つのフォーマットは、このセクションにおいて後で検討されるようにＨＡＲＱ肯定応答の同時送信のために使用される。しかし、簡単にするために、それらは、本明細書においてはすべてフォーマット２と呼ばれる。
【００５９】
ＰＵＣＣＨフォーマット２のリソースは、準静的に設定される。
【００６０】
マルチアンテナ技術は、無線通信システムのデータレートおよび信頼性を著しく高めることができる。送信機と受信機との両方が複数のアンテナを装備しており、それが多入力多出力（ＭＩＭＯ）通信チャネルをもたらす場合、性能が特に改善される。そのようなシステムおよび／または関連する技術は、通常、ＭＩＭＯと呼ばれる。
【００６１】
ＬＴＥ規格は、拡張ＭＩＭＯ（ｅｎｈａｎｃｅｄ  ＭＩＭＯ）のサポートによって現在発展している。ＬＴＥの核となる構成要素は、ＭＩＭＯアンテナの展開およびＭＩＭＯに関連する技術のサポートである。現在、ＬＴＥ−Ａｄｖａｎｃｅｄは、チャネルに依存するプリコーディングを用いる８つのＴｘアンテナのための８レイヤ空間多重化モードをサポートする。空間多重化モードは、好ましいチャネルの状態における高データレートを目指している。空間多重化動作の図が、図６に与えられる。
【００６２】
見てとれるように、情報搬送シンボルベクトルｓが、ＮＴ×ｒプリコーダ行列Ｗと掛け合わされ、このプリコーダ行列は、（ＮＴ個のアンテナポートに対応する）ＮＴ次元ベクトル空間の部分空間内に送信エネルギーを分散させる働きをする。プリコーダ行列は、概して、可能なプリコーダ行列のコードブックから選択され、概して、プリコーダ行列インジケータ（ＰＭＩ）によって示され、このプリコーダ行列インジケータ（ＰＭＩ）は、所与の数のシンボルストリームのためのコードブック内の一意のプリコーダ行列を指定する。ｓ内のｒ個のシンボルは、それぞれレイヤに対応し、ｒは、送信ランク（ｔｒａｎｓｍｉｓｓｉｏｎ  ｒａｎｋ）と呼ばれる。このように、複数のシンボルが同じ時間／周波数リソースエレメント（ＴＦＲＥ）上で同時に送信され得るので、空間多重化が実現される。シンボルの数ｒは、概して、現在のチャンネル特性に合うように適合される。
【００６３】
ＬＴＥは、ダウンリンクにＯＦＤＭを使用し（アップリンクにＤＦＴプリコーディングＯＦＤＭ（ＤＦＴ  ｐｒｅｃｏｄｅｄ  ＯＦＤＭ）を使用し）、したがって、サブキャリアｎ上の特定のＴＦＲＥ（または代替的にデータＴＦＲＥ番号ｎ）に関する受信されるＮＲ×１ベクトルｙｎは、ゆえに、
ｙｎ＝ＨｎＷｓｎ＋ｅｎ
によってモデル化され、ｅｎは、確率過程（ｒａｎｄｏｍ  ｐｒｏｃｅｓｓ）の実現として得られる雑音／干渉ベクトルである。プリコーダＷは、周波数に対して一定であるかまたは周波数選択的である広帯域プリコーダである可能性がある。
【００６４】
多くの場合、プリコーダ行列は、ＮＲ×ＮＴ  ＭＩＭＯチャネル行列Ｈｎの特性に合うように選択され、いわゆるチャネル依存プリコーディング（ｃｈａｎｎｅｌ  ｄｅｐｅｎｄｅｎｔ  ｐｒｅｃｏｄｉｎｇ）をもたらす。これは、通常、閉ループプリコーディングとも呼ばれ、基本的に、ＵＥ１４に送信エネルギーの多くを運ぶという意味で強い部分空間に送信エネルギーを集中させようとする。加えて、プリコーダ行列は、チャネルを直交化しようとして選択される可能性もあり、つまり、ＵＥ１４における適切な線形等化の後、レイヤ内干渉が削減される。
【００６５】
送信ランクと、ひいては空間多重化されるレイヤの数とは、プリコーダの列の数に反映される。効率的な実行のためには、チャネル特性に合う送信ランクが選択されることが重要である。
【００６６】
ＬＴＥ  Ｒｅｌｅａｓｅ−１０においては、新しい参照シンボルシーケンス、チャネル状態情報参照信号（ＣＳＩ−ＲＳ）が、チャネル状態情報を推定する意図で導入された。ＣＳＩ−ＲＳは、ＣＳＩフィードバックの根拠をそれ以前のリリースにおいてその目的のために使用された共通参照シンボル（ＣＲＳ）に置くことに優るいくつかの利点を提供する。第１に、ＣＳＩ−ＲＳは、データ信号の復調のために使用されず、したがって、同じ密度を必要としない（つまり、ＣＳＩ−ＲＳのオーバーヘッドは実質的に少ない）。第２に、ＣＳＩ−ＲＳは、ＣＳＩフィードバックの測定を設定するためのより一層柔軟な手段を提供する（たとえば、どのＣＳＩ−ＲＳリソース上で測定すべきかが、ＵＥに固有の方法で設定され得る）。
【００６７】
２種類のＣＳＩ−ＲＳ、すなわち、非ゼロ電力（ＮＺＰ：Ｎｏｎ−Ｚｅｒｏ  Ｐｏｗｅｒ）およびゼロ電力（ＺＰ：Ｚｅｒｏ  Ｐｏｗｅｒ）ＣＳＩ−ＲＳが、ＬＴＥにおいて規定される。ＮＺＰ  ＣＳＩ−ＲＳは、サービング送信点（ｓｅｒｖｉｎｇ  ｔｒａｎｓｍｉｓｓｉｏｎ  ｐｏｉｎｔ）の有効なチャネルを推定するために使用される可能性があり、一方、ＺＰ  ＣＳＩ−ＲＳは、干渉を測定するため、またはＺＰ  ＣＳＩ−ＲＳリソースエレメントにおいて信号を受信するその他のＵＥ１４に対する干渉を防止するために使用される可能性がある。Ｒｅｌ−１３において、ＵＥ１４は、ＵＥ１４のために設定されるＮＺＰ  ＣＳＩ−ＲＳと同じリソースエレメントをＯＦＤＭシンボル内で占有するＺＰ  ＣＳＩ−ＲＳを用いて設定されるべきでない。
【００６８】
ＣＳＩ−ＲＳ上で測定することによって、ＵＥ１４は、無線伝播チャネルおよびアンテナ利得を含め、ＣＳＩ−ＲＳが通ってきている有効なチャネルを推定することができる。数学的により厳密に言えば、これは、知られているＣＳＩ−ＲＳ信号ｘが送信される場合に、ＵＥ１４が送信信号と受信信号との間の結合（すなわち、有効なチャネル）を推定することができる。したがって、送信において仮想化が行われない場合、受信信号ｙは、
ｙ＝Ｈｘ＋ｅ
として表される可能性があり、ＵＥは、有効なチャネルＨを推定することができる。
【００６９】
最大８つのＣＳＩ−ＲＳポートが、Ｒｅｌ．１１のＵＥ１４のために設定される可能性があり、つまり、ＵＥ１４は、したがって、最大８つの送信アンテナからチャネルを推定することができる。
【００７０】
ＣＳＩフィードバックのために、ＬＴＥは、ＵＥ１４が、たとえば、測定された有効なチャネルの複素数値要素を明示的にレポートしないが、そうではなく、ＵＥ１４が、測定された有効なチャネルのための送信設定を推薦する暗黙的なＣＳＩメカニズムを採用した。したがって、推薦された送信設定は、基礎をなすチャネルの状態についての情報を暗黙的に与える。
【００７１】
ＬＴＥにおいて、ＣＳＩフィードバックは、送信ランクインジケータ（ＲＩ）、プリコーディング行列インジケータ（ＰＭＩ）、および１つまたは２つのチャネル品質インジケータ（ＣＱＩ）によって与えられる。ＣＱＩ／ＲＩ／ＰＭＩレポートは、どのレポートモードが設定されるかに応じて広帯域であるかまたは周波数選択的である可能性がある。
【００７２】
ＲＩは、空間多重化され、したがって、有効なチャネル上で並列に送信されるべきストリームの推薦される数に対応する。ＰＭＩは、送信のための（ＣＳＩ−ＲＳポートの数と同じ行数を有する、プリコーダを含むコードブック内の）推薦されるプリコーダを特定し、これは、有効なチャネルの空間特性に関連する。ＣＱＩは、推薦されるトランスポートブロックサイズ（すなわち、符号化率）を表し、ＬＴＥは、サブフレームにおけるＵＥ１４へのトランスポートブロック（すなわち、情報の別々に符号化されたブロックの）（異なるレイヤ上の）１つまたは２つの同時送信の送信をサポートする。したがって、１つのトランスポートブロックまたは複数のトランスポートブロックが送信される空間ストリームのＣＱＩとＳＩＮＲとの間の関係が存在する。
【００７３】
ＬＴＥ  Ｒｅｌｅａｓｅ１１において、ＣＳＩプロセスは、各ＣＳＩプロセスがＣＳＩ−ＲＳリソースおよびチャネル状態情報−干渉測定（ＣＳＩ−ＩＭ）リソースに関連付けられるように規定される。送信モードのＵＥ１４は、より上位のレイヤによってサービングセル毎に１つまたは複数の（最大４つの）ＣＳＩプロセスを用いて設定される可能性があり、ＵＥ１４によってレポートされる各ＣＳＩは、ＣＳＩプロセスに対応する。ＵＥ１４は、ＣＳＩプロセスに関するレポートされるＲＩがＲＩ−参照ＣＳＩプロセスに関するものと同じであるように任意のＣＳＩプロセスに関してＲＩ−参照ＣＳＩプロセスを用いて設定される可能性がある。この設定は、たとえ別のＲＩが一部の仮説に関して最も良い選択であるとしても、いくつかの異なる干渉の仮説に関して同じＲＩをレポートするようにＵＥ１４に強制するために使用され得る。さらに、ＵＥ１４は、より上位のレイヤのシグナリングによって各ＣＳＩプロセスのために設定されたプリコーダコードブックのサブセット内でＰＭＩおよびＲＩをレポートすることに制限される。この設定は、特定のＣＳＩプロセスに関する特定のランクをレポートするようにＵＥ１４に強制するために使用される可能性もある。
【００７４】
ＣＳＩレポートに関して、それぞれ周期的チャネル状態情報（Ｐ−ＣＳＩ）および非周期的チャネル状態情報（Ａ−ＣＳＩ）として知られる周期的なレポートと非周期的な（つまり、ｅＮＢ１２によってトリガされる）レポートとの両方が、サポートされる。ＣＳＩプロセスにおいて、ＵＥ１４が測定を実行する１組のＣＳＩ−ＲＳポートが設定される。これらのＣＳＩ−ＲＳポートは、５ｍｓ、１０ｍｓ、２０ｍｓなどの周期で周期的に送信されるように設定され得る。周期的レポートは、ＰＵＣＣＨフォーマット２またはその変種（２ａ、２ｂ）を使用する可能性があり、設定された周期、たとえば、２０ｍｓも有し、最大で１１ビットを含む狭いビットパイプ（ｂｉｔ  ｐｉｐｅ）である。異なる非周期的なＣＳＩレポート要求の設定は、非周期的なＣＳＩの要求においてトリガされ得る。非周期的なＣＳＩの設定は、異なるセルまたは異なるＣＳＩプロセスのためのものである可能性があるが、同じＣＳＩプロセスに関する２つの異なる設定のための非周期的なＣＳＩレポート要求は、Ｒｅｌ−１３においてサポートされない。
【００７５】
ＣＳＩレポートは、３ＧＰＰ  ＴＳ３６．２１３セクション７．２．３に規定されるように、ＣＳＩ参照リソースと呼ばれる特定のサブフレームおよび１組のＰＲＢにおけるチャネルの状態に対応する。ＣＳＩ参照リソースのタイミングは、ＣＳＩレポートが送信されるかまたは要求されるサブフレームに対して相対的に規定され、これは、ｅＮＢ１２がＣＳＩレポートがどれだけ古いかを判定することを可能にし、ＵＥ１４がＣＳＩレポートを計算するためにどれだけの時間を有するかをさらに決定する。
【００７６】
３ＧＰＰの最近の発展は、各アンテナエレメントが独立して位相および振幅を制御し、それによって、垂直方向の次元と水平方向の次元との両方のビームフォーミングを可能にする２次元アンテナアレイの検討につながった。そのようなアンテナアレイは、水平方向の次元に対応するアンテナの列の数Ｎｈ、垂直方向の次元に対応するアンテナの行の数Ｎｖ、および異なる極性に対応する次元の数Ｎｐによって（部分的に）記述され得る。したがって、アンテナの総数は、Ｎ＝ＮｈＮｖＮｐである。Ｎｈ＝８およびＮｖ＝４であるアンテナの例が、図７Ａに示される。さらに、アンテナアレイは、交差偏波アンテナエレメントからなり、つまり、Ｎｐ＝２である。これは、交差偏波アンテナエレメントによる８×４アンテナアレイとして示される。
【００７７】
しかし、標準化の観点から見ると、アンテナアレイ内のエレメントの実際の数はＵＥ１４には見えないが、むしろアンテナポートが見えており、各ポートがＣＳＩ参照信号に対応する。したがって、ＵＥ１４は、これらのポートの各々からのチャネルを測定することができる。したがって、図７Ｂに示されるように、水平方向の次元のアンテナポートの数Ｍｈ、垂直方向の次元に対応するアンテナの行の数Ｍｖ、および異なる極性に対応する次元の数Ｍｐによって記述される２Ｄポートレイアウトが、導入される。したがって、アンテナポートの総数は、Ｍ＝ＭｈＭｖＭｐである。Ｎ個のアンテナエレメントへのこれらのポートのマッピングは、ｅＮＢの実装の問題であり、したがって、ＵＥ１４には見えない。ＵＥ１４は、Ｎの値さえ知らず、ポートの数の値Ｍのみ知っている。
【００７８】
プリコーディングは、送信前に各アンテナポートに関する異なるビームフォーミングの重みを信号に掛けることと解釈され得る。典型的な手法は、プリコーダをアンテナのフォームファクタに合わせること、つまり、プリコーダコードブックを設計するときにＭｈ、Ｍｖ、およびＭｐを考慮に入れることである。
【００７９】
２Ｄアンテナアレイに合わせて作られるプリコーダコードブックを設計するときのよくある手法は、クロネッカー積によってそれぞれアンテナポートの水平方向のアレイおよび垂直方向のアレイに合わせて作られたプリコーダを組み合わせることである。これは、プリコーダ（の少なくとも一部）が
2019518350.tif 000003
の関数として記述される可能性があり、ＷＨは、ＮＨ個のコードワードを含む（サブ）コードブックＸＨから取られた水平方向のプリコーダであり、同様に、ＷＶは、ＮＶ個のコードワードを含む（サブ）コードブックＸＶから取られた垂直方向のプリコーダである。したがって、
2019518350.tif 000004
によって表記される連結コードブックは、ＮＨ・ＮＶ個のコードワードを含む。ＸＨのコードワードは、ｋ＝０，．．．，ＮＨ−１によってインデックス付けされ、ＸＶのコードワードは、ｌ＝０，．．．，ＮＶ−１によってインデックス付けされ、連結コードブック
2019518350.tif 000005
のコードワードは、ｍ＝ＮＶ・ｋ＋ｌ、つまり、ｍ＝０，．．．，ＮＨ・ＮＶ−１によってインデックス付けされる。
【００８０】
Ｒｅｌ−１２のＵＥおよびそれ以前に関しては、２つ、４つ、または８つのアンテナポートによる１Ｄのポートレイアウトのためのコードブックフィードバックのみがサポートされる。したがって、コードブックは、これらのポートが直線上に配列されると仮定して設計される。
【００８１】
ＣＳＩ−ＲＳが大きなアンテナアレイの各アンテナエレメント上で送信される場合、多数のＣＳＩ−ＲＳポートが必要とされる。これは、ＣＳＩ−ＲＳの範囲が狭まること、ＣＳＩフィードバックを計算するＵＥの複雑性が増すこと、およびＣＳＩ−ＲＳのオーバーヘッドが増すことなどの欠点を有する可能性がある。結果として、Ｒｅｌ−１３においては、ＣＳＩ−ＲＳが概して完全なセルのカバレッジよりも狭いアンテナパターンによって送信されるビームフォーミングされたＣＳＩ−ＲＳのサポートが導入された。これは、ＣＳＩ−ＲＳ概して完全なセルのカバレッジを有するアンテナパターンによって送信された以前のＬＴＥリリースにおいて使用されるプリコーディングされないＣＳＩ−ＲＳの動作と対比され得る。ビームフォーミングされるＣＳＩ−ＲＳは、ＣＳＩ−ＲＳの送信のためのアレイの利得を上げ（カバレッジを改善し）、ＣＳＩフィードバックに必要とされるポートの数を減らし、ＣＳＩ−ＲＳのオーバーヘッドを減らすために使用され得る。
【００８２】
プリコーディングされないおよびビームフォーミングされるＣＳＩ−ＲＳの動作は、それぞれ、「クラスＡ」または「クラスＢ」として設定されたＣＳＩプロセスおよび／またはＣＳＩ−ＲＳリソースによってサポートされる。ダイナミックビームフォーミングは、１つのサブフレームにおいてのみＣＳＩ−ＲＳを測定するようにＵＥを制約するチャネル測定の制約によってサポートされ、したがって、ＵＥは、ＣＳＩに対するビームフォーミングがサブフレームによって変わっているときにＣＳＩを平均しない。チャネル測定の制約は、ＬＴＥ  Ｒｅｌ−１３においてはクラスＢ動作のためにのみサポートされる。
【００８３】
クラスＢ動作のために設定されたＵＥ１４は、ＬＴＥ  Ｒｅｌ−１３においては１つのＣＳＩプロセス内で各ＣＳＩリソースに最大８つのポートがあるようにして最大８つのＣＳＩ−ＲＳリソースを用いて設定され得る。そのようなＵＥ１４は、ＣＳＩ−ＲＳリソースのうちのどれにおいてそのＵＥが最も良好にサーブされるかを示すためのＣＳＩ−ＲＳリソースインジケータ（ＣＲＩ）をレポートするように設定され得る。そのとき、ＵＥ１４は、最良のＣＳＩ−ＲＳリソースに関してのみＣＱＩ、ＲＩ、および／またはＰＭＩを提供する。
【００８４】
１つのＣＳＩ−ＲＳリソースを用いてクラスＢ動作のために設定されたＵＥ１４は、ポート選択および同相化コードブックを使用する可能性があり、ＵＥは、ＣＳＩ−ＲＳポートのサブセットおよび選択されたポートを組み合わせる同相化係数を選択する。これは、「ａｌｔｅｒｎａｔｉｖｅＣｏｄｅｂｏｏｋＥｎａｂｌｅｄＣＬＡＳＳＢ＿Ｋ１」によってレイヤ１ＬＴＥスペックにおいて特定され、３ＧＰＰ  ＲＡＮ１のＬＴＥ提言においては「Ｗ２オンリー」コードブックと呼ばれてきた。
【００８５】
多数のＣＳＩ−ＲＳポートがクラスＡまたはクラスＢ動作のために使用されるとき、オーバーヘッドが大きくなる可能性がある。このオーバーヘッドを削減するために提案された１つの手法は、多数のクラスＡのＣＳＩ−ＲＳポートを少ない頻度で送信し、いくつかのクラスＢのＣＳＩ−ＲＳポートを頻繁に送信することであった。クラスＡからのＵＥ１４のフィードバックが、クラスＢのＣＳＩ−ＲＳに適用されるビームを選択するために使用される。クラスＡのＣＳＩ−ＲＳとクラスＢのＣＳＩ−ＲＳとの両方のこの使用は、「ハイブリッド」ＣＳＩレポートと呼ばれる。アレイの各エレメントへのチャネルを測定するためにクラスＡを使用することによって、クラスＢのために使用されるビームフォーミングの重みが、正確に、ｅＮＢ１２を複雑にせずに決定され得る。少ない数にポートによるクラスＢの使用は、削減されたＣＳＩフィードバックのオーバーヘッドを可能にし、ＵＥ１４のＣＳＩの計算の複雑性を制限する。
【００８６】
ＬＴＥ  Ｒｅｌ−１３においては２つのＣＳＩプロセスを使用してハイブリッドＣＳＩレポートをサポートすることが可能であり、第１のプロセスがクラスＡによって設定され、第２のプロセスがクラスＢによって設定される。しかし、２ＣＳＩの処理能力は、ＵＥが１つではなく２つのレポートのためにＣＳＩを計算できなければならないため単一のＣＳＩプロセスのレポートよりもＵＥにとって複雑である。
【００８７】
ハイブリッドＣＳＩ−ＲＳレポートの設計は、多くのポートによるまれなクラスＢの送信またはいくつかのポートによる頻繁なクラスＡの送信を考慮しない。これらのＣＳＩレポート設定は、より優れたＣＳＩ−ＲＳカバレッジまたはより豊富なＣＳＩフィードバックを提供するために使用され得る。
【００８８】
ハイブリッドＣＳＩ−ＲＳレポートは、クラスＡおよびクラスＢのレポートを送信することをＵＥ１４に要求し、１つのＣＳＩプロセス内でそのようにすることは、新しいレポートメカニズムが必要とされることを意味する。
【００８９】
２つのＣＳＩプロセスを用いて設定されるＵＥ１４は、２倍のＣＳＩを計算する必要があることが多い。これは、ｅＮＢが所与のサブフレームにおいてどちらかのまたは両方のＣＳＩプロセスのためのＣＳＩレポートを要求する可能性があり、ＣＳＩレポートがＣＳＩの計算の複雑性を減らすためにＣＳＩレポートを分けるために使用され得る決まった周期を持たない非周期的なレポートに特に当てはまる。
【００９０】
したがって、低複雑性マルチ設定ＣＳＩレポートのためのシステムおよび方法が提供される。図８に示されるように、一部の実施形態においては、複数のＣＳＩレポート設定からのＣＳＩフィードバックを提供するためにセルラ通信ネットワーク１０において無線デバイス１４を動作させる方法が、提供される。方法は、第１のＣＳＩレポート設定を受信すること（ステップ１００）と、第２のＣＳＩレポート設定を受信すること（ステップ１０２）とを含む。方法は、第１のＣＳＩレポート設定および第２のＣＳＩレポート設定のうちの１つのみに関して、ＣＳＩレポート内で更新されたＣＳＩをレポートすることも含む（ステップ１０４）。一部の実施形態において、これらのＣＳＩレポート設定は、拡張ＭＩＭＯ（ｅＭＩＭＯ）タイプとして知られる。また、ハイブリッドＣＳＩ非周期的レポートなどの一部の実施形態において、ＵＥ１４は、その他のＣＳＩレポート設定に関するＣＳＩを引き続きレポートするが更新することは期待されない。したがって、一部の実施形態において、ＵＥ１４は、さらに、どのＣＳＩレポート設定を更新すべきかを決定する。このように、多くのポート、異なるコードブック、混合されたビームフォーミングされるおよびプリコーディングされないＣＳＩ−ＲＳの設定などによる豊富なＣＳＩフィードバックが、無線デバイスにおいてより少ない計算の複雑性を必要としながらサポートされ得る。
【００９１】
本明細書において使用される用語「無線ノード」は、ＵＥ１４または無線ネットワークノード１２を示すために使用される可能性がある。
【００９２】
一部の実施形態においては、より広い用語「ネットワークノード」が使用され、その用語はＵＥ１４および／または別のネットワークノードと通信する任意の種類の無線ネットワークノードまたは任意のネットワークノードに対応する可能性がある。ネットワークノードの例は、ＮｏｄｅＢ、マスタｅＮＢ（ＭｅＮＢ）、セカンダリｅＮＢ（ＳｅＮＢ）、マスタセルグループ（ＭＣＧ）またはセカンダリセルグループ（ＳＣＧ）に属するネットワークノード、基地局、ＭＳＲ  ＢＳなどのマルチスタンダードラジオ（ＭＳＲ：Ｍｕｌｔｉ−Ｓｔａｎｄａｒｄ  Ｒａｄｉｏ）無線ノード、ｅＮｏｄｅＢ、ネットワークコントローラ、無線ネットワークコントローラ（ＲＮＣ）、基地局コントローラ（ＢＳＣ）、リレー、リレーを制御するドナーノード（ｄｏｎｏｒ  ｎｏｄｅ）、無線トランシーバ基地局（ＢＴＳ：Ｂａｓｅ  Ｔｒａｎｓｃｅｉｖｅｒ  Ｓｔａｔｉｏｎ）、アクセスポイント（ＡＰ）、送信点、送信ノード、無線リソースユニット（ＲＲＵ）、無線リソースヘッド（ＲＲＨ）、分散アンテナシステム（ＤＡＳ）内のノード、コアネットワークノード（たとえば、移動通信交換局（ＭＳＣ）、モバイル管理エンティティ（ＭＭＥ：Ｍｏｂｉｌｅ  Ｍａｎａｇｅｍｅｎｔ  Ｅｎｔｉｔｙ）など）、運用＆管理（Ｏ＆Ｍ）、運用支援システム（ＯＳＳ）、自己組織化ネットワーク（ＳＯＮ）、測位ノード（たとえば、エボルブドサービングモバイルロケーションセンタ（Ｅ−ＳＭＬＣ））、運転試験の最小化（ＭＤＴ：Ｍｉｎｉｍｉｚａｔｉｏｎ  ｏｆ  Ｄｒｉｖｅ  Ｔｅｓｔｓ）などである。
【００９３】
一部の実施形態においては、非限定的な用語ＵＥ１４または無線デバイス１４が交換可能なように使用される。本明細書におけるＵＥ１４は、無線信号を介してネットワークノードまたは別のＵＥと通信することができる任意の種類の無線デバイスである可能性がある。ＵＥ１４は、無線通信デバイス、ターゲットデバイス、デバイスツーデバイス（Ｄ２Ｄ）ＵＥ、マシンタイプＵＥもしくはマシンツーマシン通信（Ｍ２Ｍ）ができるＵＥ、低コストおよび／もしくは低複雑性ＵＥ、ＵＥを搭載したセンサー、タブレット、モバイル端末、スマートフォン、ラップトップ組込型機器（ＬＥＥ：Ｌａｐｔｏｐ  Ｅｍｂｅｄｄｅｄ  Ｅｑｕｉｐｐｅｄ）、ラップトップ搭載機器（ＬＭＥ）、ユニバーサルシリアルバス（ＵＳＢ）ドングル、顧客構内機器（ＣＰＥ）、モノのインターネット（ＩｏＴ）デバイス、または狭帯域ＩｏＴ（ＮＢ−ＩＯＴ）デバイスなどである可能性もある。
【００９４】
さらに、一部の実施形態において、包括的な用語「無線ネットワークノード」が使用される。用語「無線ネットワークノード」は、基地局、無線基地局、無線トランシーバ基地局、基地局コントローラ、ネットワークコントローラ、ＲＮＣ、エボルブドＮｏｄｅＢ（ｅＮＢ）、ＮｏｄｅＢ、マルチセル／マルチキャスト調整エンティティ（ＭＣＥ：Ｍｕｌｔｉ−ｃｅｌｌ／ｍｕｌｔｉｃａｓｔ  Ｃｏｏｒｄｉｎａｔｉｏｎ  Ｅｎｔｉｔｙ）、リレーノード、アクセスポイント、無線アクセスポイント、リモートラジオユニット（ＲＲＵ）リモート無線ヘッド（ＲＲＨ）のうちのいずれかを含み得る任意の種類の無線ネットワークノードである可能性がある。
【００９５】
主ＣＳＩプロセスにおけるＣＳＩ−ＲＳリソースは、比較的多くのＣＳＩ−ＲＳポートを有する可能性があり、それらのＣＳＩ−ＲＳは、設定された周期で比較的少ない頻度で送信される可能性がある。そのとき、副ＣＳＩプロセスのＣＳＩ−ＲＳリソースは、比較的少ないＣＳＩ−ＲＳポートを有し、それらのＣＳＩ−ＲＳは、比較的頻繁に送信される。ＵＥ１４は、主ＣＳＩプロセス設定かまたは副ＣＳＩプロセス設定かのどちらかを使用してＣＳＩフィードバックをレポートすることができる。ｅＮＢ１２は、副ＣＳＩプロセスのＣＳＩ−ＲＳポートに適用するためのビームフォーミングの重みを決定するために主ＣＳＩフィードバックを使用し、ＵＥ１４に関するＰＤＳＣＨのために使用するためのプリコーディングを決定するためにやはり主ＣＳＩフィードバックを使用する可能性がある。副ＣＳＩフィードバックは、ＵＥ１４に関するＰＤＳＣＨのために使用するためのプリコーディングを決定するために使用される。
【００９６】
図９および１０も、本開示の一部の実施形態によるＵＥ１４などの無線デバイスの動作の方法を示す。特に、図９は、ＵＥ１４が第１のＣＳＩレポート設定に対応する第１の瞬間を決定すること（ステップ２００）を示す。ＵＥ１４は、第２のＣＳＩレポート設定に対応する第２の瞬間も決定する（ステップ２０２）。これらの瞬間に関するさらなる詳細が、下で与えられる。そして、ＵＥ１４は、新しいＣＳＩレポートを計算すべきであるとき、第１の瞬間が第２の瞬間と第３の瞬間との間にない場合、第２のＣＳＩレポート設定を使用して新しいＣＳＩレポートを計算し、第３の瞬間は、第２の瞬間よりも後にある（ステップ２０４）。一部の実施形態において、これは、ＵＥ１４が通常更新される第１のまたは主設定を有することを可能にする。しかし、第２のまたは副設定を更新するときであるとき、ＵＥ１４は、第１の設定を更新することを控える可能性がある。一部の実施形態において、第１の瞬間は、第１のＣＳＩ−ＲＳリソースのためのＣＳＩ−ＲＳを含むサブフレームに対応し、第２の瞬間は、第２のＣＳＩ−ＲＳリソースに関するレポートがトリガされるサブフレームに対応し、第３の瞬間は、第２の瞬間のｎｃｑｉ＿ｒｅｆ−１サブフレーム後である。このように、多くのポート、異なるコードブック、混合されたビームフォーミングされるおよびプリコーディングされないＣＳＩ−ＲＳの設定などによる豊富なＣＳＩフィードバックが、ＵＥ１４においてより少ない計算の複雑性を必要としながらサポートされ得る。さらなる詳細および例が、下で検討される。
【００９７】
図１０は、ＵＥ１４が特定のサービングセルに関する特定の数のＣＳＩレポートのために設定され得る可能性があるが、所与の時間の間はより少ない数のＣＳＩレポートを更新することしかできない可能性がある場合を示す。第１に、ＵＥ１４は、ＵＥ１４がサービングセルにおいて設定され得るＣＳＩレポートの第１の数をレポートする（ステップ３００）。それから、ＵＥ１４は、サービングセルのためのレポート期間内にＵＥ１４が更新されたＣＳＩフィードバックをレポートすることができるＣＳＩレポートの第２の数をレポートする（ステップ３０２）。さらなる詳細および例が、下で検討される。
【００９８】
図１１は、この実施形態に関するＣＳＩレポートのタイミングの例、ならびにどのようにしてＣＳＩレポートおよび計算が主ＣＳＩプロセスまたは副ＣＳＩプロセスの一方のみに関して一度に実行され得るのかを示す。この例においては、主ＣＳＩプロセスに関する３２ポートＣＳＩ−ＲＳ送信が８０サブフレーム毎に１回行われる一方、副ＣＳＩプロセスに関しては、２ポートＣＳＩ−ＲＳリソースが５サブフレーム毎に１回送信される。参照リソースが示されており、実際のＣＳＩ−ＲＳ送信は参照リソースと同じかまたは異なるサブフレーム内にある可能性があることに留意されたい。ＲＩ、ＰＭＩ、およびＣＱＩを使用する周期的なＣＳＩレポートが、例として示される。３２ポートのコードブックに基づくレポートは、ＬＴＥ  Ｒｅｌ−１３の１６ポートのレポートと同じ構造を有すると想定され、サブフレームにおけるＰＵＣＣＨの送信が、ＲＩ、ｉ１１、およびｉ１２か、またはｉ２およびＣＱＩかのどちらかを含み、ｉ２およびＣＱＩは、「ＰＭＩ，（ＣＱＩ）」によってラベル付けされたサブフレームにおいてｉ１１およびｉ１２と時間多重化される。サブフレームにおける２ポートのレポートの送信は、ＲＩかまたはＰＭＩおよびＣＱＩかのどちらかを含む。
【００９９】
示された実施形態において、ＵＥは、主ＣＳＩプロセスのための参照リソースが副ＣＳＩレポートと副ＣＳＩレポートのための参照リソースとの間のサブフレームに現れる場合、主ＣＳＩのみをレポートし、副ＣＳＩは、計算される必要がない。これが示されており、サブフレーム４において始まる潜在的な副ＣＳＩレポートの第１のサブフレームがサブフレームｎ−ｎｃｑｉ＿ｒｅｆ，ｓ内に参照リソースを有する。サブフレーム６において始まる主ＣＳＩレポートの第１のサブフレームは、サブフレームｎ−ｎｃｑｉ＿ｒｅｆ，ｐ内に参照リソースを有する。この例において、ｎ−ｎｃｑｉ＿ｒｅｆ，ｓおよびｎ−ｎｃｑｉ＿ｒｅｆ，ｐは、両方とも４サブフレームであり、したがって、潜在的な副ＣＳＩレポートのための参照リソースは、サブフレーム０内にある。主ＣＳＩの参照リソースは、サブフレーム０とサブフレーム４との間の間隔の中にあり、したがって、潜在的な副ＣＳＩレポートと潜在的な副ＣＳＩレポートのための参照リソースとの間のサブフレーム内にある。したがって、副ＣＳＩは、図においてＲＩおよびＰＭＩ  ＣＱＩ副レポートを貫く斜線によって示されるようにサブフレーム４および５においてレポートされず、一方、主ＣＳＩは、サブフレーム６〜８においてレポートされる。
【０１００】
ＵＥが主ＣＳＩプロセスかまたは副ＣＳＩプロセスかのどちらかに関する１つの非周期的なＣＳＩレポートのみを一度に計算することを可能にすることも、望ましい。例示的な実施形態において、ＵＥ１４は、限られた数のＣＳＩプロセスに関するＣＳＩを更新することのみを要求され、レポートされるＣＳＩプロセスの数は、ＵＥがレポートのためにトリガされるときにｍａｘ（Ｎｘ−Ｎｓ−Ｎｕ，０）として決定され、Ｎｘは、ＵＥ１４によってレポートされ得るＣＳＩプロセスの最大数であり、Ｎｕは、トリガされるＣＳＩプロセス以外のレポートされないＣＳＩプロセスの数であり、Ｎｓは、副ＣＳＩプロセスの数であり、ＣＳＩ要求に関連するＣＳＩプロセスは、対応するＣＳＩを運ぶ物理アップリンク共有チャネル（ＰＵＳＣＨ）が送信されるサブフレームの前のサブフレームにおいてはレポートされないものとしてカウントされる。たとえば、ＵＥが最大１つの主ＣＳＩプロセスおよび１つの副ＣＳＩプロセスをサポートすることができ、したがって、Ｎｘ＝２であると仮定する。そのとき、図１１において、ＣＳＩトリガと非周期的なＣＳＩレポートとの間の遅延が４サブフレームであると仮定すると、副非周期的ＣＳＩレポートがサブフレーム０においてトリガされる場合、ＵＥは、サブフレーム４においてＣＳＩをレポートする。その場合、主非周期的ＣＳＩレポートもサブフレーム２においてトリガされる場合、ＵＥはサブフレーム６においてＣＳＩをレポートし、したがって、サブフレーム０〜３においてＮｕ＝１である。そして、ＵＥは、そのＵＥがサブフレーム０〜３において非周期的ＣＳＩのためにトリガされる場合、ｍａｘ（Ｎｘ−Ｎｓ−Ｎｕ，０）＝ｍａｘ（２−１−１，０）＝０を更新する。これは、主ＣＳＩプロセスからサブフレーム６においてレポートされるＣＳＩが更新されないことを意味する。主ＣＳＩプロセスからのＣＳＩは副ＣＳＩプロセスよりも重要である見込みが大きいので、ｅＮＢは、サブフレーム０において副ＣＳＩレポートをトリガすべきでなく、それによって、主ＣＳＩがサブフレーム２におけるトリガによって更新されることを可能にする。ｅＮＢは、ダウンリンクのシグナリングにおいてＣＳＩプロセスのインデックスを示すことによって主ＣＳＩプロセスまたは副ＣＳＩプロセスのうちのどちらをトリガすべきかを選択することができる。
【０１０１】
同様の実施形態において、非周期的なレポートにおいてレポートされるＣＳＩプロセスの数は、ＵＥがレポートのためにトリガされるときにｍａｘ（Ｎｐ−Ｎｕ，０）として決定され、Ｎｐは、ＵＥがレポート期間内にサービングセルにおいて更新されたＣＳＩを提供することができるＣＳＩプロセスの数であり、Ｎｐは、サービングセルにおいてＵＥが設定され得るＣＳＩプロセスの総数未満である可能性があり、Ｎｕは、トリガされるＣＳＩプロセス以外のレポートされないＣＳＩプロセスの数であり、ＣＳＩ要求に関連するＣＳＩプロセスは、対応するＣＳＩを運ぶＰＵＳＣＨが送信されるサブフレームの前のサブフレームにおいてはレポートされないものとしてカウントされる。
【０１０２】
一部の実施形態においては、ＣＳＩプロセスが、主ＣＳＩプロセスの識別情報を用いてそのＣＳＩプロセスを設定することによってシグナリングにおいて副ＣＳＩプロセスとして特定され得る。その他の実施形態においては、副ＣＳＩプロセスが、副ＣＳＩプロセスとしてそのＣＳＩプロセスを設定することによって特定される。同様に、主ＣＳＩプロセスが、副ＣＳＩプロセスの識別情報を用いてＣＳＩプロセスを設定することによって、または主ＣＳＩプロセスとしてＣＳＩプロセスを設定することによって特定され得る。その他の実施形態においては、ＣＳＩプロセスが、そのＣＳＩプロセスのＣＳＩプロセス識別子に加えて優先度の値を用いて設定され、その場合、ＣＳＩプロセスは、必ずしも主または副として特定されず、２つのＣＳＩプロセスの優先度の値が、どのプロセスがそのプロセスのＣＳＩを更新させるべきかを決定するために比較される。
【０１０３】
一部の実施形態においては、ＵＥ能力シグナリング（ＵＥ  ｃａｐａｂｉｌｉｔｙ  ｓｉｇｎａｌｉｎｇ）が、ＵＥがサービングセルにおいて複数のＣＳＩプロセスをサポートすることを示すが、ただし、ＵＥがサービングセルにおけるＣＳＩプロセスの数よりも少ないＣＳＩレポートを計算するように要求される場合に限る。ＵＥは、そのＵＥがサービングセルに関してＮｘ個のＣＳＩプロセスのために設定され得るとレポートする可能性があるが、ただし、サービングセルに関するＮｘ個のＣＳＩプロセスのうちのＮｓ個が副ＣＳＩプロセスである場合に限る。したがって、ＵＥは、そのＵＥがサービングセルのためのレポート期間内に最大Ｎｘ−Ｎｓ個の周期的なまたは非周期的なＣＳＩレポートを計算することを要求され得ることを示す。この能力は、ＵＥがＮｘ個のＣＳＩプロセスのために設定され得るが、ただし、Ｎｘ個のＣＳＩプロセスのうちのＮｐ個が主ＣＳＩプロセスであり、したがって、ＵＥがサービングセルに関してレポート期間内でＮｐ個以下の周期的なまたは非周期的なＣＳＩレポートをレポートし得る場合に限ることとしても表され得る。代替的に、主ＣＳＩプロセスの数は、ＵＥがレポート期間内に更新されたＣＳＩを提供し得るＣＳＩプロセスの最大数として特定される可能性がある。
【０１０４】
一部の実施形態において、主および副ＣＳＩプロセスに関連するＣＳＩ−ＲＳポートは、１組のＣＲＳポートと擬似コロケーションされると常に想定され得る。これは、ＵＥにおける参照信号の追跡および推定を簡単にする。この場合、ＵＥは、３ＧＰＰ  ＴＳ３６．２１３および３６．３３１のｑｃｌ−ＣＲＳ−Ｉｎｆｏ−ｒ１１などの擬似コロケーション（ｑｕａｓｉ−ｃｏｌｌｏｃａｔｉｏｎ）情報を提供するより上位のレイヤのパラメータの異なる値を有する下位のおよびそのＵＥの主ＣＳＩプロセスに関するＣＳＩ−ＲＳリソース設定を受信することを期待されない。
【０１０５】
一部の実施形態において、主ＣＳＩプロセスは、副ＣＳＩプロセスに関するＲＩ参照プロセスである。この場合、ＵＥは、副ＣＳＩプロセスにおけるＣＳＩの計算のためのランクとして主ＣＳＩプロセスに関してそのＵＥがレポートするランクを使用する。これは、主クラスＡ測定の測定値から決定されたビームフォーミングされるＣＳＩ−ＲＳを使用して副クラスＢ  ＣＳＩプロセスの間のＣＳＩレポートの一貫性を与える。
【０１０６】
周期的なレポートが使用されるとき、レポートの瞬間は知られており、後のＣＳＩレポートがサブフレームｎにおけるＣＳＩレポートと時間的に近いかどうかを判定することが可能である。この場合、周期的な副ＣＳＩレポートが後の周期的なＣＳＩレポートと近すぎない場合にのみその周期的な副ＣＳＩレポートが送信される代替的な実施形態が、使用され得る。より厳密には、主ＣＳＩレポートがサブフレームｎからｎ＋Δｐにおいて行われる場合、副ＣＳＩレポートがサブフレームｎにおいて送信されず、Δｐは、ｅＮＢとＵＥ１４との両方に知られている所定の値である。これが、図１２に示される。ここで、Δｐ＝４サブフレームが仮定される。主ＣＳＩレポートがサブフレームｎ＝４とＮ＋Δｐ＝８との間であるサブフレーム６において行われるので、副ＣＳＩレポートは、サブフレーム４において送信されない。ＵＥ１４は、副ＣＳＩのための参照ＣＳＩリソースを受信する前に、副ＣＳＩレポートが送信されないことを知るので、副ＣＳＩレポートを計算する必要がない。
【０１０７】
これらの実施形態において、ＵＥ１４は、１つのＣＳＩプロセスを用いて設定され得るが、ＣＳＩプロセスに関連する複数のＣＳＩ−ＲＳリソースを有する。各ＣＳＩ−ＲＳリソースは、コードブックの設定、擬似コロケーション情報などのその他のパラメータに関連付けられる可能性がある。その他の実施形態と同様に、主および副ＣＳＩ−ＲＳリソースが規定される可能性があり、副ＣＳＩ−ＲＳリソースは主ＣＳＩ−ＲＳリソースよりも頻繁に送信される。また、主ＣＳＩフィードバックが、副ＣＳＩ−ＲＳのためのビームフォーミングの重みを決定するために使用される可能性があり、副ＣＳＩ−ＲＳリソースと主ＣＳＩ−ＲＳリソースとの両方が、ＵＥのＰＤＳＣＨのためのプリコーディングを決定するために使用される可能性がある。
【０１０８】
図１３は、実施形態に関するＣＳＩレポートのタイミング、ならびにどのようにしてＣＳＩレポートおよび計算が主ＣＳＩ−ＲＳ参照リソースまたは副ＣＳＩ−ＲＳ参照リソースの一方のみに対して一度に実行され得るのかを示す。ＣＳＩレポート設定は、その他の実施形態に関して示されたＣＳＩレポート設定と同様であり、３２ポートＣＳＩ−ＲＳが８０サブフレーム毎に１回送信され、副ＣＳＩプロセスに関しては、２ポートＣＳＩ−ＲＳリソースが５サブフレーム毎に１回送信される。参照リソースが示されており、実際のＣＳＩ−ＲＳ送信は参照リソースと同じかまたは異なるサブフレーム内にある可能性があることにやはり留意されたい。ＲＩ、ＰＭＩ、およびＣＱＩが、レポートされる。１つのＣＳＩプロセスが使用されるので、主ＣＳＩおよび副ＣＳＩに関するＣＳＩレポートをＣＳＩプロセスのための単一のＰＵＣＣＨレポート設定へと多重化するための新しいメカニズムが必要とされる。したがって、ＵＥは、主ＣＳＩリソースのための参照リソースが副ＣＳＩレポートと副ＣＳＩレポートのための参照リソースとの間のサブフレームに現れる場合、主ＣＳＩ−ＲＳリソースに関連するＣＳＩのみをレポートする。これが図１３に示され、図１３においては、主レポートがサブフレーム４、５、および８４、８５の副レポートを置き換える。
【０１０９】
一部の実施形態においては、主ＣＳＩレポートと副ＣＳＩレポートとの両方が送信されるときを決定するために１つのＣＱＩレポート周期パラメータが使用される。これが図１３に示され、図１３においては、副ＣＳＩレポートが潜在的には５の倍数のサブフレームにおいて行われ得るが、上で検討されたように主ＣＳＩレポートによって置き換えられる。単一の周期パラメータのこの使用は、ＵＥにおけるＣＳＩレポートを簡単にし、Ｒｅｌ−１３のＰＵＣＣＨレポートメカニズムを再利用することを可能にする。
【０１１０】
別の実施形態においては、周期的なＣＳＩレポートが、主ＣＳＩ−ＲＳリソースに関してのみ設定され、したがって、主ＣＳＩ−ＲＳリソースに対応するＣＳＩのみが、周期的にレポートされる。代替的に、周期的なＣＳＩレポートは、副ＣＳＩ−ＲＳリソースに関してのみ設定される可能性があり、したがって、副ＣＳＩ−ＲＳリソースに対応するＣＳＩのみが、周期的にレポートされる。
【０１１１】
一部の実施形態においては、ＵＥ１４が副ＣＳＩリソースかまたは主ＣＳＩリソースかのどちらかの１つの非周期的なＣＳＩレポートのみを一度に計算することを可能にすることも、望ましい。この場合、ダウンリンクの制御シグナリングのＣＳＩ要求フィールドが、ＣＳＩリソースおよびＣＳＩプロセスを特定し得る。このように、ＵＥ１４は、追加的なＣＳＩプロセスをサポートする必要がなく、ｅＮＢ１２は、そのｅＮＢ１２がレポートされたい主ＣＳＩリソースまたは副ＣＳＩリソースを選択し得る。どのようにしてＣＳＩ要求フィールドがＣＳＩリソースを特定し得るのかの例が、下に示される。下線のテキストは、３ＧＰＰ  ＴＳ３６．２１３  ｖ１３．０．１において本文に追加されたテキストである。
2019518350.tif 000006
【０１１２】
一部の実施形態において、主および副ＣＳＩリソースに関連するＣＳＩ−ＲＳポートは、１組のＣＲＳポートと擬似コロケーションされると常に想定され得る。これは、ＵＥにおける参照信号の追跡および推定を簡単にする。この場合、ＵＥは、３ＧＰＰ  ＴＳ３６．２１３および３６．３３１のｑｃｌ−ＣＲＳ−Ｉｎｆｏ−ｒ１１などの擬似コロケーション情報を提供するより上位のレイヤのパラメータの異なる値を有する主および副ＣＳＩ−ＲＳリソース設定を受信することを期待されない。
【０１１３】
一部の実施形態において、ＣＳＩ−ＲＳリソースが、インデックスによって特定され、少なくともＮＺＰ  ＣＳＩ−ＲＳ設定に関連付けられ、ＮＺＰ  ＣＳＩ−ＲＳ設定は、アンテナポートの数、リソース設定、サブフレーム設定、および／またはスクランブリング識別情報を含む可能性があり、これらのパラメータは、ＴＳ３６．２１１  ｖ１３．０．０．セクション６．１０．５．２と同様である。ＣＳＩ−ＲＳリソースは、ＣＳＩ−ＩＭ設定、ＣＳＩレポートの種類、ＣＳＩレポートのコードブックの設定、および擬似コロケーション情報を含む追加的なパラメータを含む可能性がある。
【０１１４】
一部の実施形態においては、ＣＳＩ−ＲＳリソースが、主ＣＳＩ−ＲＳリソースの識別情報を用いてそのＣＳＩ−ＲＳリソースを設定することによってシグナリングにおいて副ＣＳＩ−ＲＳリソースとして特定される。その他の実施形態においては、副ＣＳＩ−ＲＳリソースが、副ＣＳＩ−ＲＳリソースとしてそのＣＳＩ−ＲＳリソースを設定することによって特定される。同様に、主ＣＳＩ−ＲＳリソースが、副ＣＳＩ−ＲＳリソースの識別情報を用いてＣＳＩリソースを設定することによって、またはＣＳＩ−ＲＳリソースを主ＣＳＩリソースとして設定することによって特定され得る。その他の実施形態においては、ＣＳＩ−ＲＳリソースが、優先度の値を用いて設定され、その場合、ＣＳＩプロセスは、必ずしも主または副として特定されず、２つのＣＳＩ−ＲＳリソースの優先度の値が、どちらがそのＣＳＩ−ＲＳリソースの対応するＣＳＩを更新させるべきかを決定するために比較される。さらにその他の実施形態においては、ＣＳＩリソースが、ＣＳＩリソースに関連するＮＺＰ  ＣＳＩ−ＲＳ設定によって占有されるＯＦＤＭシンボル内のリソースエレメントの少なくとも一部を占有するＺＰ  ＣＳＩ−ＲＳを設定することによって副ＣＳＩリソースとして特定される。
【０１１５】
図１４は、本開示の一部の実施形態による基地局１２の図である。本明細書において使用されるとき、この基地局１２は、ネットワークノード１２、ｅＮＢ１２、または本明細書において検討されたプロセスを実行することができる任意のその他のネットワークノードである可能性がある。一部の実施形態において、基地局１２は、実行されるときに基地局に本明細書において説明された方法および機能を実施させる命令を含む回路を含む。一例において、回路は、プロセッサと命令を含むメモリとを含み得る処理手段の形態である可能性がある。示されるように、基地局１２は、少なくとも１つのプロセッサ３０およびメモリ３２を含むベースバンドユニット２８を含む。ベースバンドユニット２８は、ネットワークインターフェース３４も含む。示されるように、基地局１２は、１つまたは複数の送信機３８、１つまたは複数の受信機４０、および１つまたは複数のアンテナ４２を有する少なくとも１つのラジオユニット３６も含む。一部の実施形態において、本明細書において説明された実施形態のうちの任意の１つに関連して説明された基地局１２または基地局１２の機能は、たとえば、メモリ３２に記憶され、プロセッサ３０によって実行されるソフトウェアに実装される。ネットワークインターフェース３４は、基地局１２をその他のシステムに接続する１つまたは複数の構成要素（たとえば、ネットワークインターフェースカード）を含む可能性がある。
【０１１６】
一部の実施形態においては、少なくとも１つのプロセッサ３０によって実行されるときに少なくとも１つのプロセッサ３０に本明細書において説明された実施形態のうちの任意の１つによる基地局１２の機能を実行させる命令を含むコンピュータプログラムが、提供される。一部の実施形態においては、上述のコンピュータプログラム製品を含むキャリアが提供される。キャリアは、電子信号、光信号、無線信号、またはコンピュータ可読ストレージ媒体（たとえば、メモリ３２などの非一時的コンピュータ可読媒体）のうちの１つである。
【０１１７】
図１５は、本開示の一部の実施形態による無線デバイスの図である。本明細書において使用されるとき、この無線デバイス１４は、ＵＥ１４または本明細書において検討されたプロセスを実行することができる任意のその他のデバイスである可能性がある。示されるように、無線デバイス１４は、少なくとも１つのプロセッサ４８およびメモリ５０を含む。無線デバイス１４は、１つまたは複数の送信機５４、１つまたは複数の受信機５６、および１つまたは複数のアンテナ５８を有するトランシーバ５２も含む。一部の実施形態において、本明細書において説明された実施形態のうちの任意の１つに関連して説明された無線デバイス１４または無線デバイス１４の機能は、たとえば、メモリ５０に記憶され、プロセッサ４８によって実行されるソフトウェアに実装される。トランシーバ５２は、信号を送信および受信するために１つまたは複数のアンテナ５８を使用し、無線デバイス１４をその他のシステムに接続する１つまたは複数の構成要素を含む可能性がある。
【０１１８】
一部の実施形態においては、少なくとも１つのプロセッサ４８によって実行されるときに少なくとも１つのプロセッサ４８に本明細書において説明された実施形態のうちの任意の１つによる無線デバイス１４の機能を実行させる命令を含むコンピュータプログラムが、提供される。一部の実施形態においては、上述のコンピュータプログラム製品を含むキャリアが提供される。キャリアは、電子信号、光信号、無線信号、またはコンピュータ可読ストレージ媒体（たとえば、メモリ５０などの非一時的コンピュータ可読媒体）のうちの１つである。
【０１１９】
図１６は、本開示の一部の実施形態による基地局１２の仮想化された実施形態を示す概略的なブロック図である。この検討は、その他の種類の無線アクセスノードに等しく適用可能である。さらに、その他の種類のネットワークノードは、（（特に１つまたは複数のプロセッサ、メモリ、およびネットワークインターフェースを含むことに関連する））同様のアーキテクチャを有する可能性がある。
【０１２０】
本明細書において使用されるとき、「仮想化された」無線アクセスノードは、基地局のベースバンド機能の少なくとも一部が（たとえば、ネットワーク内の物理的な処理ノード上で実行される仮想マシンによって）仮想的な構成要素として実装される無線アクセスノードである。示されるように、基地局１２は、上述のように、１つまたは複数のプロセッサ２２（たとえば、中央演算処理装置（ＣＰＵ）、特定用途向け集積回路（ＡＳＩＣ）、フィールドプログラマブルゲートアレイ（ＦＰＧＡ）など）、メモリ２４、およびネットワークインターフェース２６を含むベースバンドユニット２０と、１つまたは複数のラジオユニット３６とを含み、ラジオユニット３６の各々は、１つまたは複数のアンテナ４２に結合された１つまたは複数の送信機３８と、１つまたは複数の受信機４０とを含む。ベースバンドユニット２０は、たとえば、光ケーブルなどによってラジオユニット２８に接続される。ベースバンドユニット２０は、ネットワークインターフェース２６を介してネットワーク３８に結合されるかまたはネットワーク３８の一部として含まれる１つまたは複数の処理ノード３７に接続される。各処理ノード３７は、１つまたは複数のプロセッサ３０（たとえば、ＣＰＵ、ＡＳＩＣ、ＦＰＧＡなど）、メモリ３２、およびネットワークインターフェース４４を含む。
【０１２１】
この例において、本明細書において説明された基地局１２の機能２３は、１つまたは複数の処理ノード３７に実装されるか、または任意の所望の方法でベースバンドユニット２０および１つまたは複数の処理ノード３７に分散される。一部の特定の実施形態において、本明細書において説明された基地局１２の機能２３の一部またはすべては、処理ノード３６によってホストされる仮想環境に実装された１つまたは複数の仮想マシンによって実行される仮想構成要素として実装される。当業者によって理解されるであろうように、処理ノード３６とベースバンドユニット２０との間の追加的なシグナリングまたは通信が、たとえば、許可を送信することおよび／または少なくとも１つのキャリアのキャリアモード（ｃａｒｒｉｅｒ  ｍｏｄｅ）の指示を送信することなどの所望の機能の少なくとも一部を実行するために使用される。とりわけ、一部の実施形態において、ベースバンドユニット２０は、含まれない可能性があり、その場合、ラジオユニット３６は、適切なネットワークインターフェースを介して処理ノード３７と直接通信する。
【０１２２】
一部の実施形態においては、少なくとも１つのプロセッサによって実行されるときに少なくとも１つのプロセッサに本明細書において説明された実施形態のいずれかによる無線アクセスノード（たとえば、基地局１２）または仮想環境に無線アクセスノードの機能２３のうちの１つまたは複数を実装するノード（たとえば、処理ノード３７）の機能を実行させる命令を含むコンピュータプログラムが、提供される。一部の実施形態においては、上述のコンピュータプログラム製品を含むキャリアが提供される。キャリアは、電子信号、光信号、無線信号、またはコンピュータ可読ストレージ媒体（たとえば、メモリなどの非一時的コンピュータ可読媒体）のうちの１つである。
【０１２３】
図１７は、本開示の一部のその他の実施形態による基地局１２のブロック図である。示されるように、基地局１２は、１つまたは複数のモジュール６２を含み、モジュール６２の各々は、ソフトウェアに実装される。モジュール６２は、本明細書において説明された実施形態のいずれかによる基地局１２の機能を提供するように動作する。一部の実施形態において、モジュール６２は、第１のＣＳＩレポート設定を用いて無線デバイス１４を設定し、第２のＣＳＩレポート設定を用いて無線デバイス１４を設定し、第１のＣＳＩレポート設定および第２のＣＳＩレポート設定のうちの１つのみに関して、無線デバイス１４から更新されたＣＳＩレポートを受信するように動作可能である。
【０１２４】
図１８は、本開示の一部のその他の実施形態による無線デバイス１４（たとえば、ＵＥ１４）のブロック図である。示されるように、無線デバイス１４は、１つまたは複数のモジュール６４を含み、モジュール６４の各々は、ソフトウェアに実装される。モジュール６４は、本明細書において説明された実施形態のいずれかによる無線デバイス１４の機能を提供するように動作する。一部の実施形態において、モジュール６４は、第１のＣＳＩレポート設定を受信し、第２のＣＳＩレポート設定を受信し、第１のＣＳＩレポート設定および第２のＣＳＩレポート設定のうちの１つのみに関して、更新されたＣＳＩレポートをレポートするように動作可能である。
【０１２５】
図および説明中のプロセスは特定の実施形態によって実行される動作の特定の順序を示す可能性があるが、そのような順序は例示的であることを理解されたい（たとえば、代替的な実施形態は、動作を異なる順序で実行する可能性があり、特定の動作を組み合わせる可能性があり、特定の動作を重ね合わせる可能性があるなど）。
【０１２６】
本開示がいくつかの実施形態によって説明されたが、当業者は、本開示が説明された実施形態に限定されず、添付の請求項の精神および範囲内の修正および変更をともなって実施され得ることを認めるであろう。したがって、説明は、限定的ではなく例示的であるとみなされるべきである。
【０１２７】
以下の頭字語が、本開示全体を通じて使用される。
・３ＧＰＰ      第３世代パートナーシッププロジェクト
・５Ｇ          第５世代
・ＡＣＫ        肯定応答
・Ａ−ＣＳＩ    非周期的なチャネル状態情報
・ＡＰ          アクセスポイント
・ＡＳＩＣ      特定用途向け集積回路
・ＢＳＣ        基地局コントローラ
・ＢＴＳ        無線トランシーバ基地局
・ＣＰＥ        顧客構内機器
・ＣＰＵ        中央演算処理装置
・ＣＱＩ        チャネル品質インジケーション
・ＣＲＩ        ＣＳＩ−ＲＳリソースインジケータ
・ＣＲＳ        セル固有参照信号
・ＣＳＩ        チャネル状態情報
・ＣＳＩ−ＲＳ  チャネル状態情報参照信号
・Ｄ２Ｄ        デバイスツーデバイス
・ＤＡＳ        分散アンテナシステム
・ＤＦＴ        離散フーリエ変換
・ｅＭＩＭＯ    拡張多入力多出力
・ｅＮＢ        拡張またはエボルブドＮｏｄｅＢ
・Ｅ−ＳＭＬＣ  エボルブドサービングモバイルロケーションセンタ
・ＦＰＧＡ      フィールドプログラマブルゲートアレイ
・ＨＡＲＱ      ハイブリッド自動再送要求
・ＩｏＴ        モノのインターネット
・ＬＥＥ        ラップトップ組込型機器
・ＬＭＥ        ラップトップ搭載機器
・ＬＴＥ        Ｌｏｎｇ  Ｔｅｒｍ  Ｅｖｏｌｕｔｉｏｎ
・Ｍ２Ｍ        マシンツーマシン
・ＭＣＧ        マスタセルグループ
・ＭＤＴ        運転試験の最小化
・ＭｅＮＢ      マスタ拡張ＮｏｄｅＢ
・ＭＩＭＯ      拡張多入力多出力
・ＭＭＥ        モビリティ管理エンティティ
・ＭＳＣ        移動通信交換局
・ＭＳＲ        マルチスタンダードラジオ
・ＭＴＣ        マシン型通信
・ＮＡＣＫ      否定応答
・ＮＢ−ＩｏＴ  狭帯域モノのインターネット
・ＮＺＰ        非ゼロ電力
・Ｏ＆Ｍ        運用および管理
・ＯＦＤＭ      直交周波数分割多重
・ＯＳＳ        運用支援システム
・Ｐ−ＣＳＩ    周期的なチャネル状態情報
・ＰＭＩ        プリコーディング行列インジケータ
・ＰＵＣＣＨ    物理アップリンク制御チャネル
・ＱｏＳ        サービス品質
・ＲＩ          ランクインジケータ
・ＲＮＣ        無線ネットワークコントローラ
・ＲＲＨ        無線リソースヘッド
・ＲＲＵ        無線リソースユニット
・ＳＣＧ        セカンダリセルグループ
・ＳｅＮＢ      セカンダリ拡張ＮｏｄｅＢ
・ＳＯＮ        自己組織化ネットワーク
・ＴＦＲＥ      時間／周波数リソースエレメント
・ＵＥ          ユーザ機器
・ＵＳＢ        ユニバーサルシリアルバス
・ＶＯＩＰ      ボイスオーバインターネットプロトコル
・ＶＰＮ        仮想プライベートネットワーク
・ＺＰ          ゼロ電力
【０１２８】
当業者は、本開示の実施形態に対する改善および修正を認めるであろう。すべてのそのような改善および修正は、本明細書において開示された概念の範囲内にあると考えられる。
【図１】
2019518350.tif 000007
【図２】
2019518350.tif 000008
【図３】
2019518350.tif 000009
【図４】
2019518350.tif 000010
【図５】
2019518350.tif 000011
【図６】
2019518350.tif 000012
【図７Ａ−Ｂ】
2019518350.tif 000013
【図８】
2019518350.tif 000014
【図９】
2019518350.tif 000015
【図１０】
2019518350.tif 000016
【図１１】
2019518350.tif 000017
【図１２】
2019518350.tif 000018
【図１３】
2019518350.tif 000019
【図１４】
2019518350.tif 000020
【図１５】
2019518350.tif 000021
【図１６】
2019518350.tif 000022
【図１７】
2019518350.tif 000023
【図１８】
2019518350.tif 000024
【国際調査報告】
2019518350.tif 000025
2019518350.tif 000026
2019518350.tif 000027